(57)【特許請求の範囲】
【請求項１】
出力すべき出力情報に対して当該出力情報の出力時におけるエラー訂正に用いられるエラー訂正符号を付加し、訂正符号付加出力情報を生成する付加工程と、
前記生成された訂正符号付加出力情報の一部を、前記出力情報が不法複写されたものでないことを示す識別情報の値に対応した量だけ当該一部を構成するデータの配列を移動させることにより生成された再配列情報に置換し、置換出力情報を生成する置換工程と、
を備えることを特徴とする情報生成方法。
【請求項２】
請求項１に記載の情報生成方法において、
前記出力情報に対して、当該出力情報が不法複写されたものでないことを示す副識別情報を付加する副識別情報付加工程を更に備え、
前記付加工程において、前記副識別情報が付加された前記出力情報に対して前記エラー訂正符号を付加し、前記訂正符号付加出力情報を生成すると共に、
前記副識別情報Ｍと前記識別情報Ｎとが、予め設定された関数ｆに基づいて、
【数１】
0003828288.tif 000002
の関係にあることを特徴とする情報生成方法。
【請求項３】
請求項１又は２に記載の情報生成方法において、
前記エラー訂正符号は、内符号の検査シンボルと外符号の検査シンボルとにより構成されると共に、
前記置換工程において、前記内符号の検査シンボルと前記外符号の検査シンボルとが重複する部分の一部を前記再配列情報に置換することを特徴とする情報生成方法。
【請求項４】
記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されていることを特徴とする情報記録媒体。
【請求項５】
請求項４に記載の情報記録媒体において、
前記訂正符号付加記録情報の一部が、前記再配列情報及び前記置換記録情報内における当該再配列情報の位置を示す位置情報に置換されて生成された前記置換記録情報が記録されていることを特徴とする情報記録媒体。
【請求項６】
請求項４又は５に記載の情報記録媒体において、
前記識別情報が、前記記録情報が不法複写されたものでないことを示す予め設定された原識別情報を構成する各符号を並べ替えることにより生成されていることを特徴とする情報記録媒体。
【請求項７】
請求項６に記載の情報記録媒体において、
前記識別情報は、前記エラー訂正における訂正単位であるエラー訂正単位について、複数の当該エラー訂正単位に対応する前記原識別情報内の符号を一度に並べ替えることにより生成されていることを特徴とする情報記録媒体。
【請求項８】
請求項４から７のいずれか一項に記載の情報記録媒体において、
前記エラー訂正における訂正単位であるエラー訂正単位について、複数の当該エラー訂正単位に渡って一の前記再配列情報が含まれるように前記訂正符号付加記録情報の一部が当該再配列情報に置換されて生成された前記置換記録情報が記録されていることを特徴とする情報記録媒体。
【請求項９】
請求項４から８のいずれか一項に記載の情報記録媒体において、
暗号化時刻に対応した異なる暗号化処理により前記エラー訂正符号の付加前の前記記録情報が暗号化されていると共に、
前記識別情報には、当該暗号化における暗号化処理の内容及び前記暗号化時刻を示す世代情報が含まれていることを特徴とする情報記録媒体。
【請求項１０】
請求項９に記載の情報記録媒体において、
前記識別情報中に、前記暗号化処理に用いられた暗号化鍵情報が含まれていることを特徴とする情報記録媒体。
【請求項１１】
請求項１０に記載の情報記録媒体において、
前記暗号化鍵情報が予め設定された暗号化処理により暗号化された後に前記識別情報中に挿入されていることを特徴とする情報記録媒体。
【請求項１２】
請求項４から１１のいずれか一項に記載の情報記録媒体において、
前記記録情報に対して、当該記録情報が不法複写されたものでないことを示す副識別情報が予め付加されており、
更に前記訂正符号付加記録情報が、前記副識別情報が付加された前記記録情報に対して前記エラー訂正符号を付加することにより形成されていると共に、
前記副識別情報Ｍと前記識別情報Ｎとが、予め設定された関数ｆに基づいて、
【数２】
0003828288.tif 000003
の関係にあることを特徴とする情報記録媒体。
【請求項１３】
請求項４から１２のいずれか一項に記載の情報記録媒体において、
前記エラー訂正符号は、内符号の検査シンボルと外符号の検査シンボルとにより構成されると共に、
前記内符号の検査シンボルと前記外符号の検査シンボルとが重複する部分の一部が前記再配列情報に置換されて記録されていることを特徴とする情報記録媒体。
【請求項１４】
記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されている情報記録媒体から前記記録情報を再生する情報再生方法であって、
前記情報記録媒体から前記置換記録情報を検出する検出工程と、
前記検出された置換記録情報から前記再配列情報を抽出する抽出工程と、
前記抽出された再配列情報から前記配列を移動させる前のデータを得るために必要な当該再配列情報の配列の移動量を求め、当該移動量に基づいて前記識別情報が取得されたか否かを判定する判定工程と、
前記識別情報が取得されたときのみ前記エラー訂正符号を用いて前記置換記録情報に対してエラー訂正を行い、前記記録情報を再生する再生工程と、
を備えることを特徴とする情報再生方法。
【請求項１５】
記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されている情報記録媒体から前記記録情報を再生する情報再生方法であって、
前記情報記録媒体から前記置換記録情報を検出する検出工程と、
前記検出された置換記録情報から前記再配列情報を抽出する抽出工程と、
前記抽出された再配列情報から前記配列を移動させる前のデータを得るために必要な当該再配列情報の配列の移動量を求め、当該移動量に基づいて前記識別情報が取得されたか否かを判定する判定工程と、
前記エラー訂正符号を用いて前記検出された置換記録情報に対してエラー訂正を行うエラー訂正工程と、
前記識別情報が取得されたときのみ前記エラー訂正された置換記録情報に基づいて前記記録情報を再生する再生工程と、
を備えることを特徴とする情報再生方法。
【請求項１６】
請求項１４又は１５のいずれか一項に記載の情報再生方法において、
前記記録情報に対して、当該記録情報が不法複写されたものでないことを示す副識別情報が予め付加されており、更に前記訂正符号付加記録情報が、前記副識別情報が付加された前記記録情報に対して前記エラー訂正符号を付加することにより形成されていると共に、前記副識別情報Ｍと前記識別情報Ｎとが、予め設定された関数ｆに基づいて、
【数３】
0003828288.tif 000004
の関係にあり、
前記抽出工程において、前記置換記録情報から前記識別情報及び前記副識別情報を抽出し、
前記判定工程において、前記識別情報が抽出されたか否か、及び前記識別情報Ｎと前記副識別情報Ｍとの関係が、前記関数ｆに基づいて、
【数４】
0003828288.tif 000005
の関係にあるか否かを判定し、
前記再生工程において、前記識別情報が抽出され、且つ、前記識別情報Ｎと前記副識別情報Ｍとの関係が、
【数５】
0003828288.tif 000006
の関係にあるときのみ前記記録情報を再生することを特徴とする情報再生方法。
【請求項１７】
請求項１４から１６のいずれか一項に記載の情報再生方法において、
前記エラー訂正符号は、内符号の検査シンボルと外符号の検査シンボルとにより構成されると共に、
前記内符号の検査シンボルと前記外符号の検査シンボルとが重複する部分の一部が前記再配列情報に置換されていることを特徴とする情報再生方法。
【請求項１８】
出力すべき出力情報に対して当該出力情報の出力時におけるエラー訂正に用いられるエラー訂正符号を付加し、訂正符号付加出力情報を生成する付加手段と、
前記生成された訂正符号付加出力情報の一部を、前記出力情報が不法複写されたものでないことを示す識別情報の値に対応した量だけ当該一部を構成するデータの配列を移動させることにより生成された再配列情報に置換し、置換出力情報を生成する置換手段と、
を備えることを特徴とする情報生成装置。
【請求項１９】
請求項１８に記載の情報生成装置において、
前記置換手段は、前記生成された訂正符号付加出力情報の一部を、前記再配列情報及び前記置換出力情報内における当該再配列情報の位置を示す位置情報に置換し、前記置換出力情報を生成することを特徴とする情報生成装置。
【請求項２０】
請求項１８又は１９に記載の情報生成装置において、
前記出力情報が不法複写されたものでないことを示す予め設定された原識別情報を構成する各符号を並べ替えて前記識別情報を生成する並替手段を更に備えると共に、
前記置換手段は、前記生成された訂正符号付加記録情報の一部を、前記生成された識別情報の値に対応した量だけ当該一部を構成するデータの配列を移動させることにより生成された再配列情報に置換し、前記置換出力情報を生成することを特徴とする情報生成装置。
【請求項２１】
請求項２０に記載の情報生成装置において、
前記並替手段は、前記エラー訂正における訂正単位であるエラー訂正単位について、複数の当該エラー訂正単位に対応する前記原識別情報内の符号を一度に並べ替えて前記識別情報を生成することを特徴とする情報生成装置。
【請求項２２】
請求項１８から２１のいずれか一項に記載の情報生成装置において、
前記置換手段は、前記エラー訂正における訂正単位であるエラー訂正単位について、複数の当該エラー訂正単位に渡って一の前記再配列情報が含まれるように前記訂正符号付加出力情報の一部を当該再配列情報に置換することを特徴とする情報生成装置。
【請求項２３】
請求項１８から２２のいずれか一項に記載の情報生成装置において、
暗号化時刻に対応して異なる暗号化処理により前記エラー訂正符号の付加前の前記出力情報を暗号化する暗号化手段を更に備えると共に、
前記識別情報には、当該暗号化手段における暗号化処理の内容及び前記暗号化時刻を示す世代情報が含まれていることを特徴とする情報生成装置。
【請求項２４】
請求項２３に記載の情報生成装置において、
前記識別情報中に、前記暗号化手段における暗号化処理に用いられた暗号化鍵情報が含まれていることを特徴とする情報生成装置。
【請求項２５】
請求項２４に記載の情報生成装置において、
前記暗号化鍵情報を予め設定された暗号化処理により暗号化した後に前記識別情報中に挿入する暗号化挿入手段を更に備えることを特徴とする情報生成装置。
【請求項２６】
請求項１８から２５のいずれか一項に記載の情報生成装置において、
前記出力情報に対して、当該出力情報が不法複写されたものでないことを示す副識別情報を付加する副識別情報付加手段を更に備え、
前記付加手段は、前記副識別情報が付加された前記出力情報に対して前記エラー訂正符号を付加し、前記訂正符号付加出力情報を生成すると共に、
前記副識別情報Ｍと前記識別情報Ｎとが、予め設定された関数ｆに基づいて、
【数６】
0003828288.tif 000007
の関係にあることを特徴とする情報生成装置。
【請求項２７】
請求項１８から２６のいずれか一項に記載の情報生成装置において、
前記エラー訂正符号は、内符号の検査シンボルと外符号の検査シンボルとにより構成されると共に、
前記置換手段は、前記内符号の検査シンボルと前記外符号の検査シンボルとが重複する部分の一部を前記再配列情報に置換することを特徴とする情報生成装置。
【請求項２８】
記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されている情報記録媒体から前記記録情報を再生する情報再生装置であって、
前記情報記録媒体から前記置換記録情報を検出する検出手段と、
前記検出された置換記録情報から前記再配列情報を抽出する抽出手段と、
前記抽出された再配列情報から前記配列を移動させる前のデータを得るために必要な当該再配列情報の配列の移動量を求め、当該移動量に基づいて前記識別情報が取得されたか否かを判定する判定手段と、
前記識別情報が取得されたときのみ前記エラー訂正符号を用いて前記置換記録情報に対してエラー訂正を行い、前記記録情報を再生する再生手段と、
を備えることを特徴とする情報再生装置。
【請求項２９】
記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されている情報記録媒体から前記記録情報を再生する情報再生装置であって、
前記情報記録媒体から前記置換記録情報を検出する検出手段と、
前記検出された置換記録情報から前記再配列情報を抽出する抽出手段と、
前記抽出された再配列情報から前記配列を移動させる前のデータを得るために必要な当該再配列情報の配列の移動量を求め、当該移動量に基づいて前記識別情報が取得されたか否かを判定する判定手段と、
前記エラー訂正符号を用いて前記検出された置換記録情報に対してエラー訂正を行うエラー訂正手段と、
前記識別情報が取得されたときのみ前記エラー訂正された置換記録情報に基づいて前記記録情報を再生する再生手段と、
を備えることを特徴とする情報再生装置。
【請求項３０】
請求項２８又は２９に記載の情報再生装置において、
前記記録情報に対して、当該記録情報が不法複写されたものでないことを示す副識別情報が予め付加されており、更に前記訂正符号付加記録情報が、前記副識別情報が付加された前記記録情報に対して前記エラー訂正符号を付加することにより形成されていると共に、前記副識別情報Ｍと前記識別情報Ｎとが、予め設定された関数ｆに基づいて、
【数７】
0003828288.tif 000008
の関係にあり、
前記抽出手段は、前記置換記録情報から前記識別情報及び前記副識別情報を抽出し、
前記判定手段は、前記識別情報が抽出されたか否か、及び前記識別情報Ｎと前記副識別情報Ｍとの関係が、前記関数ｆに基づいて、
【数８】
0003828288.tif 000009
の関係にあるか否かを判定し、
前記再生手段は、前記識別情報が抽出され、且つ、前記識別情報Ｎと前記副識別情報Ｍとの関係が、
【数９】
0003828288.tif 000010
の関係にあるときのみ前記記録情報を再生することを特徴とする情報再生装置。
【請求項３１】
請求項２８から３０のいずれか一項に記載の情報再生装置において、
前記エラー訂正符号は、内符号の検査シンボルと外符号の検査シンボルとにより構成されると共に、
前記内符号の検査シンボルと前記外符号の検査シンボルとが重複する部分の一部が前記再配列情報に置換されていることを特徴とする情報再生装置。
【発明の詳細な説明】
【０００１】
【発明の属する技術分野】
本発明は、正規に生成された情報が不法複写され、更に不法に再生されて一般に拡布されることを防止するための情報生成装置及び情報再生装置の技術分野に属する。
【０００２】
【従来の技術】
一般的に映画等の画像情報や音楽等の音声情報は著作権により保護されている場合が多く、その場合には、これらの情報を無断で複写することは基本的には禁止されている。
【０００３】
また、当該著作権者においては、これらの複写を効果的に防止する方策を取る必要がある。
【０００４】
ここで、従来の不法複写防止方法としては、上記画像情報等に対してスクランブルと称される変調をかける方法が一般的である。このスクランブル変調は、特別なキーデータを用いないと復調できない変調方式であり、通常はスクランブル変調された画像情報等と共に当該キーデータを記録情報（記録すべきデータ）として光ディスク等のデータ記録領域に記録して販売される。
【０００５】
そして、当該光ディスクを購入した使用者においては、当該使用者が所有している光ディスクの再生装置内に記録されているキーデータと当該光ディスクに画像情報等と共に記録されていたキーデータとが一致したときのみ当該画像情報等のスクランブル変調が当該キーデータにより復調されて画像情報等が再生できるようになる構成とされている。このとき、当該使用者がキーデータを他人に知られることがないように管理すれば、スクランブル変調された画像情報等のみが不法複写された場合でも、これを復調して再生することはできないこととなる。
【０００６】
【発明が解決しようとする課題】
しかしながら、上記従来の不法複写防止方法では、上記キーデータがスクランブル変調された画像情報等と共に記録情報として光ディスク等のデータ記録領域に記録されていたため、当該キーデータが画像情報等と共に不法複写される場合があり、この場合には、不法複写した者が取得したキーデータを用いて画像情報等を復調してこれを視聴することが可能となる場合があるという問題点があった。
【０００７】
更に、上記従来の不法複写防止方法では、画像情報等が正規に拡布されたものであるか否か（すなわち、当該画像情報等がいわゆる「オリジナル」のものであるか否か）を判別する術がないため、不法複写された画像情報等であっても、それが不法複写されたものであるか否かが判別できないという問題点もあった。
【０００８】
そこで、本発明は、上記の各問題点に鑑みてなされたもので、その課題は、正規に生成された画像情報等が不法複写され、更に不法に再生されて一般に拡布されることを効果的に防止できる情報生成方法及び装置、情報再生方法及び装置並びに情報記録媒体を提供することにある。
【０００９】
【課題を解決するための手段】
上記の課題を解決するために、請求項１に記載の発明は、出力すべき出力情報に対して当該出力情報の出力時におけるエラー訂正に用いられるエラー訂正符号を付加し、訂正符号付加出力情報を生成する付加工程と、前記生成された訂正符号付加出力情報の一部を、前記出力情報が不法複写されたものでないことを示す識別情報の値に対応した量だけ当該一部を構成するデータの配列を移動させることにより生成された再配列情報に置換し、置換出力情報を生成する置換工程と、を備える。
【００１０】
よって、生成された訂正符号付加出力情報の一部を、識別情報の値に対応した量だけ当該一部を構成するデータの配列を移動させることにより生成された再配列情報に置換し、置換出力情報を生成するので、例えば、生成された置換出力情報を情報記録媒体に記録し、更に当該情報記録媒体から出力情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）出力情報の不法な再生を防止することができる。
【００１１】
更に、エラー訂正符号を付加した後に訂正符号付加出力情報の一部を再配列情報に置換するので、出力情報の再生時に、再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【００１２】
従って、識別情報を検出したときのみ出力情報の再生が可能となる情報再生装置においては、当該情報記録装置で記録された出力情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００１３】
上記の課題を解決するために、請求項２に記載の発明は、請求項１に記載の情報生成方法において、前記出力情報に対して、当該出力情報が不法複写されたものでないことを示す副識別情報を付加する副識別情報付加工程を更に備え、前記付加工程において、前記副識別情報が付加された前記出力情報に対して前記エラー訂正符号を付加し、前記訂正符号付加出力情報を生成すると共に、前記副識別情報Ｍと前記識別情報Ｎとが、予め設定された関数ｆに基づいて、
【数１０】
Ｍ＝ｆ（Ｎ）
の関係にあるように構成される。
【００１４】
よって、副識別情報Ｍと識別情報Ｎとが
【数１１】
Ｍ＝ｆ（Ｎ）
の関係にあるので、例えば、情報記録媒体に記録された出力情報の再生時に、上記識別情報Ｎ及び副識別情報Ｍが共に得られたときのみ出力情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、記録された出力情報を再生する再生装置においては、当該不法複写された出力情報が再生されることをより効果的に防止できる。
【００１５】
上記の課題を解決するために、請求項３に記載の発明は、請求項１又は２に記載の情報生成方法において、前記エラー訂正符号は、ＥＣＣ内符号等の内符号の検査シンボルとＥＣＣ外符号等の外符号の検査シンボルとにより構成されると共に、前記置換工程において、前記内符号の検査シンボルと前記外符号の検査シンボルとが重複する部分の一部を前記再配列情報に置換するように構成される。
【００１６】
よって、内符号の検査シンボルと外符号の検査シンボルとが重複する部分の一部を再配列情報に置換するので、例えば、情報記録媒体に記録された出力情報の再生時における当該出力情報自体のエラー訂正に用いられる内符号の検査シンボルと外符号の検査シンボルが再配列情報に置換されることがなく、出力情報そのものに対するエラー訂正能力が低下することがない。
【００１７】
上記の課題を解決するために、請求項４に記載の発明は、記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されて構成される。
【００１８】
よって、訂正符号付加記録情報の一部を識別情報の値に対応した量だけ当該一部を構成するデータの配列を移動させることにより生成された再配列情報に置換して形成される置換記録情報が記録されているので、当該情報記録媒体から置換記録情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）記録情報の不法な再生を防止することができる。
【００１９】
また、エラー訂正符号が付加された訂正符号付加記録情報の一部が再配列情報に置換されているので、再配列情報が抽出され、それにより識別情報が検出されて記録情報が再生されても、再配列情報は当該再生時のエラー訂正により消滅することとなり、当該再生された記録情報を他の情報記録装置に記録する際には識別情報は最早記録されない。
【００２０】
よって、識別情報を検出したときのみ記録情報の再生が可能となる情報再生装置においては、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００２１】
上記の課題を解決するために、請求項５に記載の発明は、請求項４に記載の情報記録媒体において、前記訂正符号付加記録情報の一部が、前記再配列情報及び前記置換記録情報内における当該再配列情報の位置を示す位置情報に置換されて生成された前記置換記録情報が記録されて構成されている。
【００２２】
よって、不法複写防止のために置換記録情報内の再配列情報の置換位置が変更されていても、位置情報を手がかりとして再配列情報を抽出することができるので、再配列情報の置換位置を変更することにより、記録情報再生時のエラー訂正前に再配列情報が不法に読み出されることを防止できる。
【００２３】
上記の課題を解決するために、請求項６に記載の発明は、請求項４又は５に記載の情報記録媒体において、前記識別情報が、前記記録情報が不法複写されたものでないことを示す予め設定された原識別情報を構成する各符号を並べ替えることにより生成されて構成されている。
【００２４】
よって、識別情報が、不法複写でないことを示す原識別情報を構成する符号の並べ替えにより生成されているので、記録情報再生時のエラー訂正前に再配列情報が読み出されて、それにより識別情報が検出されても、元の原識別情報が認識されることを防止できる。
【００２５】
上記の課題を解決するために、請求項７に記載の発明は、請求項６に記載の情報記録媒体において、前記識別情報は、前記エラー訂正における訂正単位であるエラー訂正単位について、複数の当該エラー訂正単位に対応する前記原識別情報内の符号を一度に並べ替えることにより生成されている。
【００２６】
よって、複数のエラー訂正単位に渡って並べ替えが行われているので、記録情報の再生時により効果的に識別情報の漏洩を防止できる。
【００２７】
上記の課題を解決するために、請求項８に記載の発明は、請求項４から７のいずれか一項に記載の情報記録媒体において、前記エラー訂正における訂正単位であるエラー訂正単位について、複数の当該エラー訂正単位に渡って一の前記再配列情報が含まれるように前記訂正符号付加記録情報の一部が当該再配列情報に置換されて生成された前記置換記録情報が記録されている。
【００２８】
よって、複数のエラー訂正単位に渡って一の再配列情報が含まれているので、記録情報の記録時に更に効果的に識別情報の漏洩を防止できる。
【００２９】
上記の課題を解決するために、請求項９に記載の発明は、請求項４から８のいずれか一項に記載の情報記録媒体において、暗号化時刻に対応した異なる暗号化処理により前記エラー訂正符号の付加前の前記記録情報が暗号化されていると共に、前記識別情報には、当該暗号化における暗号化処理の内容及び前記暗号化時刻を示す世代情報が含まれている。
【００３０】
よって、世代情報内に暗号化処理の内容及び暗号化時刻が含まれているので、記録情報の再生時に、当該暗号化時刻に応じて暗号化を解く解読処理の内容を各暗号化処理の内容毎に選択すれば、当該出力時に一の暗号化処理の内容が漏洩しても、他の暗号化処理の内容を用いて暗号化された出力情報を解読でき、効果的に不法複写を防止できる。
【００３１】
上記の課題を解決するために、請求項１０に記載の発明は、請求項９に記載の情報記録媒体において、前記識別情報中に、前記暗号化処理に用いられた暗号化鍵情報が含まれている。
【００３２】
よって、再生時に、識別情報が取得できないと暗号化された出力情報が解読できないので、効果的に不法複写を防止できる。
【００３３】
上記の課題を解決するために、請求項１１に記載の発明は、請求項１０に記載の情報記録媒体において、前記暗号化鍵情報が予め設定された暗号化処理により暗号化された後に前記識別情報中に挿入されている。
【００３４】
よって、暗号化のための暗号化鍵が更に暗号化されているので、暗号化された記録情報を解読することが更に困難になる。
【００３７】
上記の課題を解決するために、請求項１２に記載の発明は、請求項４から１１のいずれか一項に記載の情報記録媒体において、前記記録情報に対して、当該記録情報が不法複写されたものでないことを示す副識別情報が予め付加されており、更に前記訂正符号付加記録情報が、前記副識別情報が付加された前記記録情報に対して前記エラー訂正符号を付加することにより形成されていると共に、前記副識別情報Ｍと前記識別情報Ｎとが、予め設定された関数ｆに基づいて、
【数１２】
Ｍ＝ｆ（Ｎ）
の関係にあるように構成される。
【００３８】
よって、副識別情報Ｍと識別情報Ｎとが、予め設定された関数ｆに基づいて、
【数１３】
Ｍ＝ｆ（Ｎ）
の関係にあるので、当該情報記録媒体からの記録情報の再生時に、上記識別情報Ｎ及び副識別情報Ｍが共に得られたときのみ記録情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、従って、記録情報を再生する再生装置においては、当該不法複写された記録情報が再生されることをより効果的に防止できる。
【００３９】
上記の課題を解決するために、請求項１３に記載の発明は、請求項４から１２のいずれか一項に記載の情報記録媒体において、前記エラー訂正符号は、ＥＣＣ内符号等の内符号の検査シンボルとＥＣＣ外符号等の外符号の検査シンボルとにより構成されると共に、前記内符号の検査シンボルと前記外符号の検査シンボルとが重複する部分の一部が前記再配列情報に置換されて記録されているように構成される。
【００４０】
よって、内符号の検査シンボルと外符号の検査シンボルとが重複する部分の一部が再配列情報に置換されて記録されているので、記録情報自体のエラー訂正に用いられる内符号の検査シンボルと外符号の検査シンボルが再配列情報に置換されることがなく、記録情報そのものに対するエラー訂正能力が低下することがない。
【００４１】
上記の課題を解決するために、請求項１４に記載の発明は、記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されているＤＶＤ等の情報記録媒体から前記記録情報を再生する情報再生方法であって、前記情報記録媒体から前記置換記録情報を検出する検出工程と、前記検出された置換記録情報から前記再配列情報を抽出する抽出工程と、前記抽出された再配列情報から前記配列を移動させる前のデータを得るために必要な当該再配列情報の配列の移動量を求め、当該移動量に基づいて前記識別情報が取得されたか否かを判定する判定工程と、前記識別情報が取得されたときのみ前記エラー訂正符号を用いて前記置換記録情報に対してエラー訂正を行い、前記記録情報を再生する再生工程と、を備える。
【００４２】
よって、抽出された再配列情報から配列を移動させる前のデータを得るために必要な当該再配列情報の配列の移動量を求め、当該移動量に基づいて識別情報を検出したときのみ再生可能となるので、識別情報が検出されなかった（すなわち不法複写された）記録情報の不法な再生を防止することができる。
【００４３】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【００４４】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００４５】
上記の課題を解決するために、請求項１５に記載の発明は、記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されているＤＶＤ等の情報記録媒体から前記記録情報を再生する情報再生方法であって、前記情報記録媒体から前記置換記録情報を検出する検出工程と、前記検出された置換記録情報から前記再配列情報を抽出する抽出工程と、前記抽出された再配列情報から前記配列を移動させる前のデータを得るために必要な当該再配列情報の配列の移動量を求め、当該移動量に基づいて前記識別情報が取得されたか否かを判定する判定工程と、前記エラー訂正符号を用いて前記検出された置換記録情報に対してエラー訂正を行うエラー訂正工程と、前記識別情報が取得されたときのみ前記エラー訂正された置換記録情報に基づいて前記記録情報を再生する再生工程と、を備える。
【００４６】
よって、抽出された再配列情報から配列を移動させる前のデータを得るために必要な当該再配列情報の配列の移動量を求め、当該移動量に基づいて識別情報を検出したときのみ再生可能となるので、識別情報が検出されなかった（すなわち不法複写された）記録情報の不法な再生を防止することができる。
【００４７】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【００４８】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００４９】
上記の課題を解決するために、請求項１６に記載の発明は、請求項１４又は１５のいずれか一項に記載の情報再生方法において、前記記録情報に対して、当該記録情報が不法複写されたものでないことを示す副識別情報が予め付加されており、更に前記訂正符号付加記録情報が、前記副識別情報が付加された前記記録情報に対して前記エラー訂正符号を付加することにより形成されていると共に、前記副識別情報Ｍと前記識別情報Ｎとが、予め設定された関数ｆに基づいて、
【数１４】
Ｍ＝ｆ（Ｎ）
の関係にあり、前記抽出工程において、前記置換記録情報から前記識別情報及び前記副識別情報を抽出し、前記判定工程において、前記識別情報が抽出されたか否か、及び前記識別情報Ｎと前記副識別情報Ｍとの関係が、前記関数ｆに基づいて、
【数１５】
Ｍ＝ｆ（Ｎ）
の関係にあるか否かを判定し、前記再生工程において、前記識別情報が抽出され、且つ、前記識別情報Ｎと前記副識別情報Ｍとの関係が、
【数１６】
Ｍ＝ｆ（Ｎ）
の関係にあるときのみ前記記録情報を再生するように構成される。
【００５０】
よって、再生工程において、識別情報が抽出され、且つ、識別情報Ｎと副識別情報Ｍとの関係が、
【数１７】
Ｍ＝ｆ（Ｎ）
の関係にあるときのみ記録情報を再生するので、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、情報再生時においては、当該不法複写された記録情報が再生されることをより効果的に防止できる。
【００５１】
上記の課題を解決するために、請求項１７に記載の発明は、請求項１４から１６のいずれか一項に記載の情報再生方法において、前記エラー訂正符号は、ＥＣＣ内符号等の内符号の検査シンボルとＥＣＣ外符号等の外符号の検査シンボルとにより構成されると共に、前記内符号の検査シンボルと前記外符号の検査シンボルとが重複する部分の一部が前記再配列情報に置換されて構成される。
【００５２】
よって、内符号の検査シンボルと外符号の検査シンボルとが重複する部分の一部が再配列情報に置換されているので、記録情報自体のエラー訂正に用いられる内符号の検査シンボルと外符号の検査シンボルは再配列情報に置換されておらず、よって、記録情報そのものに対するエラー訂正能力が低下することがない。
【００５３】
上記の課題を解決するために、請求項１８に記載の発明は、出力すべき出力情報に対して当該出力情報の出力時におけるエラー訂正に用いられるエラー訂正符号を付加し、訂正符号付加出力情報を生成するＥＣＣエンコーダ等の付加手段と、前記生成された訂正符号付加出力情報の一部を、前記出力情報が不法複写されたものでないことを示す識別情報の値に対応した量だけ当該一部を構成するデータの配列を移動させることにより生成された再配列情報に置換し、置換出力情報を生成する識別情報書込器等の置換手段と、を備える。
【００５４】
よって、生成された訂正符号付加出力情報の一部を、識別情報の値に対応した量だけ当該一部を構成するデータの配列を移動させることにより生成された再配列情報に置換し、置換出力情報を生成するので、例えば、生成された置換出力情報を情報記録媒体に記録し、更に当該情報記録媒体から出力情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）出力情報の不法な再生を防止することができる。
【００５５】
更に、エラー訂正符号を付加した後に訂正符号付加出力情報の一部を再配列情報に置換するので、記録情報の再生時に再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【００５６】
従って、識別情報を検出したときのみ出力情報の再生が可能となる情報再生装置においては、当該情報記録装置で記録された出力情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００５７】
上記の課題を解決するために、請求項１９に記載の発明は、請求項１８に記載の情報生成装置において、前記置換手段は、前記生成された訂正符号付加出力情報の一部を、前記再配列情報及び前記置換出力情報内における当該再配列情報の位置を示す位置情報に置換し、前記置換出力情報を生成するように構成される。
【００５８】
よって、不法複写防止のために置換出力情報内の再配列情報の置換位置を変更しても、位置情報を手がかりとして再配列情報を抽出することができるので、再配列情報の置換位置を変更することにより、エラー訂正前に再配列情報が不法に読み出されることを防止できる。
【００５９】
上記の課題を解決するために、請求項２０に記載の発明は、請求項１８又は１９に記載の情報生成装置において、前記出力情報が不法複写されたものでないことを示す予め設定された原識別情報を構成する各符号を並べ替えて前記識別情報を生成する並替部等の並替手段を更に備えると共に、前記置換手段は、前記生成された訂正符号付加記録情報の一部を、前記生成された識別情報の値に対応した量だけ当該一部を構成するデータの配列を移動させることにより生成された再配列情報に置換し、前記置換出力情報を生成するように構成される。
【００６０】
よって、識別情報が不法複写でないことを示す原識別情報を構成する符号の並べ替えにより生成されるので、出力情報の出力時のエラー訂正前に再配列情報が読み出されて、それにより識別情報が検出されても、元の原識別情報が認識されることを防止できる。
【００６１】
上記の課題を解決するために、請求項２１に記載の発明は、請求項２０に記載の情報生成装置において、前記並替手段は、前記エラー訂正における訂正単位であるエラー訂正単位について、複数の当該エラー訂正単位に対応する前記原識別情報内の符号を一度に並べ替えて前記識別情報を生成するように構成される。
【００６２】
よって、複数のエラー訂正単位に渡って並べ替えが行われるので、出力情報の出力時により効果的に識別情報の漏洩を防止できる。
【００６３】
上記の課題を解決するために、請求項２２に記載の発明は、請求項１８から２１のいずれか一項に記載の情報生成装置において、前記置換手段は、前記エラー訂正における訂正単位であるエラー訂正単位について、複数の当該エラー訂正単位に渡って一の前記再配列情報が含まれるように前記訂正符号付加出力情報の一部を当該再配列情報に置換するように構成される。
【００６４】
よって、複数のエラー訂正単位に渡って一の再配列情報が含まれるので、出力情報の出力時に更に効果的に識別情報の漏洩を防止できる。
【００６５】
上記の課題を解決するために、請求項２３に記載の発明は、請求項１８から２２のいずれか一項に記載の情報生成装置において、暗号化時刻に対応して異なる暗号化処理により前記エラー訂正符号の付加前の前記出力情報を暗号化するデータ生成器等の暗号化手段を更に備えると共に、前記識別情報には、当該暗号化手段における暗号化処理の内容及び前記暗号化時刻を示す世代情報が含まれているように構成される。
【００６６】
よって、世代情報内に暗号化処理の内容及び暗号化時刻が含まれているので、出力情報の出力時に、当該暗号化時刻に応じて暗号化を解く解読処理の内容を各暗号化処理の内容毎に選択すれば、当該出力時に一の暗号化処理の内容が漏洩しても、他の暗号化処理の内容を用いて暗号化された出力情報を解読でき、効果的に不法複写を防止できる。
【００６７】
上記の課題を解決するために、請求項２４に記載の発明は、請求項２３に記載の情報生成装置において、前記識別情報中に、前記暗号化手段における暗号化処理に用いられた暗号化鍵情報が含まれているように構成される。
【００６８】
よって、識別情報が取得できないと暗号化された出力情報が解読できないので、効果的に不法複写を防止できる。
【００６９】
上記の課題を解決するために、請求項２５に記載の発明は、請求項２４に記載の情報生成装置において、前記暗号化鍵情報を予め設定された暗号化処理により暗号化した後に前記識別情報中に挿入する暗号化部等の暗号化挿入手段を更に備える。
【００７０】
よって、暗号化のための暗号化鍵が更に暗号化されているので、暗号化された出力情報を解読することが更に困難になる。
【００７３】
上記の課題を解決するために、請求項２６に記載の発明は、請求項１８から２５のいずれか一項に記載の情報生成装置において、前記出力情報に対して、当該出力情報が不法複写されたものでないことを示す副識別情報を付加する副識別情報付加手段を更に備え、前記付加手段は、前記副識別情報が付加された前記出力情報に対して前記エラー訂正符号を付加し、前記訂正符号付加出力情報を生成すると共に、前記副識別情報Ｍと前記識別情報Ｎとが、予め設定された関数ｆに基づいて、
【数１８】
Ｍ＝ｆ（Ｎ）
の関係にあるように構成される。
【００７４】
よって、副識別情報Ｍと識別情報Ｎとが、関数ｆに基づいて、
【数１９】
Ｍ＝ｆ（Ｎ）
の関係にあるので、例えば、情報記録媒体に記録された出力情報の再生時に、上記識別情報Ｎ及び副識別情報Ｍが共に得られたときのみ出力情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、記録された出力情報の再生装置においては、当該不法複写された出力情報が再生されることをより効果的に防止できる。
【００７５】
上述の課題を解決するために、請求項２７に記載の発明は、請求項１８から２６のいずれか一項に記載の情報生成装置において、前記エラー訂正符号は、ＥＣＣ内符号等の内符号の検査シンボルとＥＣＣ外符号等の外符号の検査シンボルとにより構成されると共に、前記置換手段は、前記内符号の検査シンボルと前記外符号の検査シンボルとが重複する部分の一部を前記再配列情報に置換するように構成される。
【００７６】
よって、置換手段が内符号の検査シンボルと外符号の検査シンボルとが重複する部分の一部を再配列情報に置換するので、例えば、情報記録媒体に記録された出力情報の再生時における当該出力情報自体のエラー訂正に用いられる内符号の検査シンボルと外符号の検査シンボルが再配列情報に置換されることがなく、出力情報そのものに対するエラー訂正能力が低下することがない。
上記の課題を解決するために、請求項２８に記載の発明は、録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されているＤＶＤ等の情報記録媒体から前記記録情報を再生する情報再生装置であって、前記情報記録媒体から前記置換記録情報を検出する光ピックアップ等の検出手段と、前記検出された置換記録情報から前記再配列情報を抽出する識別情報抽出回路等の抽出手段と、前記抽出された再配列情報から前記配列を移動させる前のデータを得るために必要な当該再配列情報の配列の移動量を求め、当該移動量に基づいて前記識別情報が取得されたか否かを判定するＣＰＵ等の判定手段と、前記識別情報が取得されたときのみ前記エラー訂正符号を用いて前記置換記録情報に対してエラー訂正を行い、前記記録情報を再生する復調回路等の再生手段と、を備える。
よって、抽出された再配列情報から配列を移動させる前のデータを得るために必要な当該再配列情報の配列の移動量を求め、当該移動量に基づいて識別情報を検出したときのみ再生可能となるので、識別情報が検出されなかった（すなわち不法複写された）記録情報の不法な再生を防止することができる。
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００７７】
上記の課題を解決するために、請求項２９に記載の発明は、記録すべき記録情報に対して当該記録情報の再生時におけるエラー訂正に用いられるエラー訂正符号を付加して形成される訂正符号付加記録情報の一部を、前記記録情報が不法複写されたものでないことを示す識別情報の値に対応した量だけ当該一部を構成するデータの配列を移動させることにより生成された再配列情報に置換して形成される置換記録情報が記録されているＤＶＤ等の情報記録媒体から前記記録情報を再生する情報再生装置であって、前記情報記録媒体から前記置換記録情報を検出する光ピックアップ等の検出手段と、前記検出された置換記録情報から前記再配列情報を抽出する識別情報抽出回路等の抽出手段と、前記抽出された再配列情報から前記配列を移動させる前のデータを得るために必要な当該再配列情報の配列の移動量を求め、当該移動量に基づいて前記識別情報が取得されたか否かを判定するＣＰＵ等の判定手段と、前記エラー訂正符号を用いて前記検出された置換記録情報に対してエラー訂正を行うエラー訂正回路等のエラー訂正手段と、前記識別情報が取得されたときのみ前記エラー訂正された置換記録情報に基づいて前記記録情報を再生する復調回路等の再生手段と、を備える。
【００７８】
よって、抽出された再配列情報から配列を移動させる前のデータを得るために必要な当該再配列情報の配列の移動量を求め、当該移動量に基づいて識別情報が検出されたときのみエラー訂正された置換記録情報に基づいて記録情報を再生するので、識別情報を検出したときのみ再生可能となることとなり、識別情報が検出されなかった（すなわち不法複写された）記録情報の不法な再生を防止することができる。
【００７９】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【００８０】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【００８１】
上記の課題を解決するために、請求項３０に記載の発明は、請求項２８又は２９に記載の情報再生装置において、前記記録情報に対して、当該記録情報が不法複写されたものでないことを示す副識別情報が予め付加されており、更に前記訂正符号付加記録情報が、前記副識別情報が付加された前記記録情報に対して前記エラー訂正符号を付加することにより形成されていると共に、前記副識別情報Ｍと前記識別情報Ｎとが、予め設定された関数ｆに基づいて、
【数２０】
Ｍ＝ｆ（Ｎ）
の関係にあり、前記抽出手段は、前記置換記録情報から前記識別情報及び前記副識別情報を抽出し、前記判定手段は、前記識別情報が抽出されたか否か、及び前記識別情報Ｎと前記副識別情報Ｍとの関係が、前記関数ｆに基づいて、
【数２１】
Ｍ＝ｆ（Ｎ）
の関係にあるか否かを判定し、前記再生手段は、前記識別情報が抽出され、且つ、前記識別情報Ｎと前記副識別情報Ｍとの関係が、
【数２２】
Ｍ＝ｆ（Ｎ）
の関係にあるときのみ前記記録情報を再生するように構成される。
【００８２】
よって、識別情報が抽出され、且つ、識別情報Ｎと副識別情報Ｍとの関係が、
【数２３】
Ｍ＝ｆ（Ｎ）
の関係にあるときのみ記録情報を再生するので、上記識別情報Ｎ及び副識別情報Ｍが共に得られたときのみ記録情報を再生することにより、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、情報再生装置においては、当該不法複写された記録情報が再生されることをより効果的に防止できる。
【００８３】
上記の課題を解決するために、請求項３１に記載の発明は、請求項２８から３０のいずれか一項に記載の情報再生装置において、前記エラー訂正符号は、ＥＣＣ内符号等の内符号の検査シンボルとＥＣＣ外符号等の外符号の検査シンボルとにより構成されると共に、前記内符号の検査シンボルと前記外符号の検査シンボルとが重複する部分の一部が前再配列別情報に置換されて構成される。
【００８４】
よって、内符号の検査シンボルと外符号の検査シンボルとが重複する部分の一部が再配列情報に置換されているので、記録情報自体のエラー訂正に用いられる内符号の検査シンボルと外符号の検査シンボルは再配列情報に置換されておらず、よって、記録情報そのものに対するエラー訂正能力が低下することがない。
【００８５】
【発明の実施の形態】
次に本発明に好適な実施の形態について、図面に基づいて説明する。なお、以下に説明する実施の形態は、光ディスクの一種であるＤＶＤ（従来のＣＤ（Compact  Disk）に比して約７倍以上に記録容量を高めた光ディスク）に対して情報を記録する情報記録装置（より具体的には、ＤＶＤの大量生産に用いられるスタンパディスクを製造するためのカッティング装置）並びに当該ＤＶＤから情報を再生するための情報再生装置を含む不法複写防止システムに対して本発明を適用した場合の実施の形態である。
【００８６】
（Ｉ）不法複写防止システムの第１実施形態
始めに、本発明に係る不法複写防止システムの第１実施形態について、図１乃至図７を用いて説明する。
【００８７】
（Ａ）カッティング装置の第１実施形態
始めに、不法複写防止システムの第１実施形態（以下、単に第１実施形態と称する。）に係る上記カッティング装置の実施形態について、図１乃至図５を用いて説明する。
【００８８】
まず、第１実施形態のカッティング装置の構成について、図１を用いて説明する。
【００８９】
図１に示すように、第１実施形態のカッティング装置Ｃは、暗号化手段としてのデータ生成器１と、付加手段としてのＥＣＣ（Error  Correcting  Code）エンコーダ２と、置換手段としての識別情報書込器３と、エンコーダ４と、レーザ発生器５と、光変調器６と、対物レンズ７と、スピンドルモータ１３と、回転検出器９と、回転サーボ回路８と、送りユニット１２と、位置検出器１１と、送りサーボ回路１０とにより構成されている。
【００９０】
また、スタンパディスクＳＰは、レジスト１４と、ガラス基板１５とにより構成されている。ここで、レジスト１４は、後述の光ビームＢが照射されることにより感光され、当該光ビームＢの強度の変化に対応した形状のピットが形成されるものである。
【００９１】
次に、概要動作を説明する。
【００９２】
データ生成器１は、ＤＶＤとして記録すべきデータ（画像情報や音声情報またはコンピュータで活用すべきデータ等）に対して後述するデータセクタの生成処理等を施し、データ信号ＳdとしてＥＣＣエンコーダ２に出力する。
【００９３】
そして、ＥＣＣエンコーダ２は、データ信号Ｓdに含まれる記録すべきデータに対して後述するＥＣＣブロックの形成を施し、付加データ信号Ｓdeとして識別情報書込器３に出力する。
【００９４】
次に、識別情報書込器３は、付加データ信号Ｓdeに含まれるＥＣＣブロックの一部を後述の識別情報（ＤＶＤに記録されるデータが正規の（すなわち、不法複写でない）データであることを示す識別データ）に置換して置換データ信号Ｓdrを生成する。
【００９５】
そして、エンコーダ４は、置換データ信号Ｓdrに含まれるＥＣＣブロックに対してインターリーブ及び８−１６変調を施し、記録データ信号Ｓrを生成する。
【００９６】
一方、レーザ発生器５は、スタンパディスクＳＰに対してＤＶＤとしてのピットを形成するための光ビームＢを出射する。
【００９７】
そして、光変調器６は、レーザ発生器５が発生した光ビームＢを上記記録データ信号Ｓrを用いて強度変調する。
【００９８】
次に、対物レンズ７は、強度変調された光ビームＢをスタンパディスクＳＰのレジスト１４上に集光する。
【００９９】
このとき、スピンドルモータ１３はスタンパディスクＳＰを回転させる。
【０１００】
そして、回転検出器９はスタンパディスクＳＰの回転数を検出する。
【０１０１】
これにより、回転サーボ回路８は、検出された回転数に基づいて、スタンパディスクＳＰの回転をサーボ制御する。
【０１０２】
また、送りユニット１２は、上記ピットが一列に並んで構成される螺旋状のトラックをスタンパディスクＳＰ上に形成するために、スタンパディスクＳＰの回転に対応してスピンドルモータ１３及びスタンパディスクＳＰを当該スタンパディスクＳＰの半径方向に移動させる。
【０１０３】
このとき、位置検出器１１は送りユニット１２の位置を検出する。
【０１０４】
そして、送りサーボ回路１０は検出された送りユニット１２の位置に基づいて送りユニット１２の移動をサーボ制御する。
【０１０５】
以上の動作により、記録データ信号Ｓrに対応したピットが螺旋状のトラックを形成してスタンパディスクＳＰのレジスト１４上に形成され、ＤＶＤ製造のための抜き型としてのスタンパディスクＳＰが完成する。
【０１０６】
この後は、当該スタンパディスクＳＰを用いて、樹脂成形、反射膜形成、保護層形成等のいわゆるレプリケーションプロセスが実行されて、記録データ信号Ｓrに対応したピットを有するレプリカディスクとしてのＤＶＤが大量生産される。
【０１０７】
次に、本発明に係る記録データ信号Ｓr生成の細部動作について、図１乃至図５を用いて説明する。なお、図２は当該動作を示すフローチャートであり、図３乃至図５は当該動作により生成されるデータ（記録データ信号Ｓrに含まれるデータ）の構造を示す図である。
【０１０８】
第１実施形態のカッティング装置Ｃにおいて記録データ信号Ｓrを生成する場合には、始めに、記録すべき元データの構造を、データセクタと称される情報単位を複数個含んだ構造に変更する。
【０１０９】
すなわち、図２に示すように、先ず、記録すべき元データを２０４８バイト毎のデータに分割し、分割した夫々のデータに対して、データセクタの開始位置を示すＩＤ情報と、当該ＩＤ情報の誤りを訂正するためのＩＤ情報誤り訂正コード（ＩＥＣ（ID Data Error correction Code ））が付加される（ステップＳ１）。
【０１１０】
次に、ステップＳ１で生成されたデータに対して、予備データと、分割された２０４８バイトのデータにおけるエラーを検出するためのエラー検出コード（ＥＤＣ（Error Detection Code））が付加され、これにより、一のデータセクタが形成される（ステップＳ２）。
【０１１１】
このデータセクタについて具体的な構成を説明すると、図３（ａ）に示すように、一のデータセクタ２０の先頭から、ＩＤ情報２１と、ＩＤ情報誤り訂正コード２２と、予備データ２３と、上記元データから分割されたデータ２４と、エラー検出コード２５とが形成される。そしてこのデータセクタ２０が複数連続することにより記録すべきデータが構成される。
【０１１２】
データセクタ２０が形成されると、次に、データ２４部分に対して所定のキーデータを用いてスクランブル変調が施される（ステップＳ３）。
【０１１３】
以上説明したステップＳ１乃至Ｓ３の処理は上記データ生成器１において実行され、スクランブル変調されたデータ２４を含む上記データ信号Ｓdが出力される。なお、スクランブルに用いられたキーデータは、他の画像情報等と共にデータ２４として記録される。
【０１１４】
次に、ＥＣＣエンコーダ２において、データ信号Ｓdに含まれるデータセクタ２０を用いて、ＤＶＤに記録されたデータを再生する際に施されるエラー訂正における訂正単位であるＥＣＣブロックが生成され、当該ＥＣＣブロックを含む付加データ信号Ｓdeが識別情報書込器３に出力される（ステップＳ４）。
【０１１５】
このＥＣＣブロックの生成処理についてより詳細に説明すると、図３（ｂ）に示すように、始めに、一のデータセクタ２０を１７２バイト毎に分割し、分割した夫々のデータ（これを、以下、データブロック３３という。）を垂直方向に並べる（図３（ｂ）左図参照）。このとき、垂直方向には１２行のデータブロック３３が並ぶこととなる。
【０１１６】
そして、垂直方向に並べた夫々のデータブロック３３に対して１０バイトのＥＣＣ内符号（ＰＩ（Parity In ）符号とも称され、ＥＣＣブロック内の横一行分のデータを訂正するためのエラー訂正符号である。）３１を当該データブロック３３の最後に付加して一の訂正ブロック３４を構成する（図３（ｂ）右図参照）。この段階では、ＥＣＣ内符号３１が付加された訂正ブロック３４が垂直方向に１２行並んでいることとなる。その後、この処理を１６のデータセクタ２０分だけ繰返す。これにより、１９２行の訂正ブロック３４が得られる。
【０１１７】
次に、上記の１９２行の訂正ブロック３４が垂直方向に並べられた状態で、今度は、当該１９２行の訂正ブロック３４を１バイト毎に最初から垂直方向に分割し、分割した夫々のデータに対して１６個のＥＣＣ外符号（ＰＯ（Parity Out）符号とも称され、ＥＣＣブロック内の縦一列分のデータを訂正するためのエラー訂正符号である。）３２を付加する。なお、当該ＥＣＣ外符号３２は、上記訂正ブロック３４のうち、ＥＣＣ内符号３１の部分に対しても付加される。
【０１１８】
以上の処理により、１６のデータセクタ２０を含む一のＥＣＣブロック３０が図３（ｂ）右図に示すように形成され、当該ＥＣＣブロック３０を含む付加データ信号Ｓdeが識別情報書込器３に出力される。
【０１１９】
このとき、一のＥＣＣブロック３０内に含まれる情報の総量は、
【数２４】
（１７２＋１０）バイト×（１９２＋１６）行＝３７８５６バイト
であり、この内、実際のデータ２４は、
【数２５】
２０４８バイト×１６＝３２７６８バイト
となる。
【０１２０】
また、図３（ｂ）右図に示すＥＣＣブロック３０においては、１バイトのデータを「Ｄ＃．＊」で示している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は第１７２列乃至第１８１列に配置され、ＥＣＣ外符号３２は第１９２行乃至第２０７行に配置されることとなる。
【０１２１】
更に、一の訂正ブロック３４はＤＶＤ上（スタンパディスクＳＰ上）には連続して記録される。
【０１２２】
ここで、図３（ｂ）右図に示すように、ＥＣＣブロック３０をＥＣＣ内符号３１とＥＣＣ外符号３２の双方を含むように構成するのは、図３（ｂ）右図における水平方向に並んでいるデータの訂正をＥＣＣ内符号３１で行い、図３（ｂ）右図における垂直方向に並んでいるデータの訂正をＥＣＣ外符号３２で行うためである。
【０１２３】
すなわち、図３（ｂ）右図で示すＥＣＣブロック３０内においては、水平方向と垂直方向の二重に誤り訂正することが可能となり、従来のＣＤ等に用いられている誤り訂正処理に比してより強力に誤り訂正ができるように構成されている。
【０１２４】
この点について更に具体的には、例えば、一の訂正ブロック３４（上述のように、一行分のＥＣＣ内符号３１を含んで計１８２バイトのデータにより構成され、連続してＤＶＤ上に記録される。）が全てＤＶＤのキズ等により破壊されたとしても、それを垂直方向から見ると、１列のＥＣＣ外符号３２に対して１バイトのデータ破壊でしかない。従って、夫々の列のＥＣＣ外符号３２を用いて誤り訂正を行えば、たとえ一の訂正ブロック３４の全てが破壊されていても、正しく誤り訂正を行って正確に再生することができるのである。
【０１２５】
次に、識別情報書込器３において、上述のようにして生成したＥＣＣブロック３０の一部を、カッティング装置Ｃにより記録されるデータが正規の（オリジナルの）データであり不法複写されたものではないことを示す識別情報に置換する（ステップＳ５）。
【０１２６】
この置換処理について図４を用いて説明すると、本第１実施形態では、ＥＣＣブロック３０のうち、ＥＣＣ内符号３１とＥＣＣ外符号３２が重複する部分（一のＥＣＣブロック３０内ではその右下部に位置する。）の左上端から下方に１２バイト（すなわち、ＥＣＣブロック３０において、第１９２行第１７２列目から第２０３行第１７２列目まで）を識別情報３５（一般にウオーターマークと称される画像内に重畳される識別情報ではなく、画像以外のデータとして重畳される識別情報である。）に置換している。
【０１２７】
なお、この識別情報３５を挿入するＥＣＣブロック３０内の位置は、ＤＶＤに記録された後の当該データを再生すべき（正規の）情報再生装置（後述）に記憶されている。
【０１２８】
ステップＳ５において識別情報３５が書き込まれると、当該識別情報３５が含まれるＥＣＣブロック３０’により構成される上記置換データ信号Ｓdrがエンコーダ４に出力される。
【０１２９】
次に、エンコーダ４において、置換データ信号Ｓdrに含まれるＥＣＣブロック３０’に対してインターリーブ及び８−１６変調が施され、上記記録データ信号Ｓrが出力される（ステップＳ６及びＳ７）。
【０１３０】
このステップＳ６及びＳ７の処理について、具体的に図５を用いて説明する。なお、図５において、「Ｄ＃．＊」で示されるデータは、図３（ｂ）右図内に記述されているデータに対応している。
【０１３１】
先ず、ステップＳ６においてＥＣＣブロック３０’に対してインターリーブを施す際には、始めに、図５最上段に示すように、ＥＣＣブロック３０’が訂正ブロック３４毎に水平方向に一列に並べられる。そして当該並べられたデータを一定の規約の下に並べ替えることによりインターリーブが施され、当該ＥＣＣブロック３０’分の情報が１６のレコーディングセクタ４０に分割される。このとき、一のレコーディングセクタ４０は、２３６６バイト（３７８５６バイト÷１６）の情報を含むこととなり、この中には、データセクタ２０とＥＣＣ内符号３１またはＥＣＣ外符号３２並びに識別情報３５が混在している。但し、各レコーディングセクタ４０の先頭には、データセクタ２０におけるＩＤ情報２１（図３（ａ）参照）が配置される。
【０１３２】
そして、一のレコーディングセクタ４０は、９１バイト毎のデータ４１に分割され、夫々にヘッダＨが付加される。その後、この状態のレコーディングセクタ４０を８−１６変調することにより、夫々のデータ４１毎に一のシンクフレーム４２が形成される。このとき、一のシンクフレーム４２はヘッダＨ’とデータ４３とにより構成されている。また、一のシンクフレーム４２内の情報量は、
【数２６】
９１バイト×８×（１６／８）＝１４５６バイト
となり、このシンクフレーム４２が連続した形態でＤＶＤに情報が書き込まれる。このとき、一のレコーディングセクタ４０は、２６のシンクフレーム４２を含むこととなる。
【０１３３】
以上説明したフォーマットを構成してＤＶＤ（スタンパディスクＳＰ）にデータが記録されることにより、当該データを再生する際に８−１６復調及びデインターリーブを行えば（図５参照）、もとのＥＣＣブロック３０’を復元することができ、上記のように強力な誤り訂正を行って情報を正確に再生することができるのである。
【０１３４】
（Ｂ）情報再生装置の実施形態
次に、上記カッティング装置Ｃによりデータが記録されたスタンパディスクＳＰを用いて製造されたＤＶＤ上の当該データを再生するための第１実施形態の情報再生装置の実施形態について、図６及び図７を用いて説明する。なお、以下に説明する情報再生装置は、ＤＶＤにデータとして画像情報及び音声情報の双方が記録されている場合に、当該画像情報及び音声情報を再生する機能を有する情報再生装置である。
【０１３５】
始めに、第１実施形態の情報再生装置の構成について、図６を用いて説明する。
【０１３６】
図６に示すように、第１実施形態の情報再生装置Ｓは、検出手段としての光ピックアップ５１と、ＲＦ（Radio  Frequency）アンプ５２と、エラー訂正手段としてのエラー訂正回路５３と、スピンドルドライバー５４と、スピンドルモータ５５と、再生手段としてのビデオ回路５６と、再生手段としてのオーディオ回路５７と、判定手段としてのＣＰＵ５８と、操作パネル５９と、ＲＡＭ（Random  Access  Memory）６０と、サーボ回路６１と、フォーカスドライバ６２と、トラッキングドライバ６３と、再生手段としての復調回路６４と、抽出手段としての識別情報抽出回路６５と、表示部６６と、により構成される。
【０１３７】
次に、概要動作を説明する。
【０１３８】
上述のスタンパディスクＳＰを用いて製造されたＤＶＤ５０は、図示しないターンテーブル上に載置され、スピンドルモータ５５により回転される。
【０１３９】
そして、光ピックアップ５１は、回転するＤＶＤ５０に対して情報再生用の光ビームＢを照射し、その反射光に基づいて、ＤＶＤ５０に形成されているピットに対応する検出信号Ｓpを生成し、ＲＦアンプ５２に出力する。
【０１４０】
そして、ＲＦアンプ５２は、入力された検出信号Ｓpに基づいて、ＤＶＤ５０に記録されているデータに対応するＲＦ信号Ｓrfと、光ビームＢがＤＶＤ５０に照射されることにより当該ＤＶＤ５０の情報記録面に形成される光スポットの位置のＤＶＤ５０上にピットにより形成されているトラックからのずれを示すトラッキングエラー信号Ｓteと、光ビームＢの焦点位置の上記情報記録面からのずれを示すフォーカスエラー信号Ｓfeとを生成し、ＲＦ信号Ｓrfを復調回路６４に出力すると共にトラッキングエラー信号Ｓte及びフォーカスエラー信号Ｓfeをサーボ回路６１に出力する。
【０１４１】
これにより、サーボ回路６１は、トラッキングエラー信号Ｓteに基づいて、ＣＰＵ５８の制御の下、上記光スポットの位置がトラックの位置と一致するように、光ビームＢをＤＶＤ５０の情報記録面に集光させる図示しない対物レンズを当該情報記録面に平行な方向にサーボ駆動するためのトラッキング駆動信号Ｓtdを生成し、トラッキングドライバ６３に出力する。
【０１４２】
これと並行して、サーボ回路６１は、フォーカスエラー信号Ｓfeに基づいて、ＣＰＵ５８の制御の下、上記光ビームＢの集光位置がＤＶＤ５０の情報記録面と一致するように、上記対物レンズを情報記録面に垂直な方向にサーボ駆動するためのフォーカス駆動信号Ｓfdを生成し、フォーカスドライバ６２に出力する。
【０１４３】
そして、トラッキングドライバ６３及びフォーカスドライバ６２は、夫々トラッキング駆動信号Ｓtdまたはフォーカス駆動信号Ｓfdに対して増幅等の処理を施し、光ピックアップ５１内の図示しないアクチュエータに出力してこれを駆動することにより、光スポットの位置及び光ビームＢの集光位置をサーボ制御する。
【０１４４】
一方、ＲＦ信号Ｓrfが入力されている復調回路６４は、当該ＲＦ信号Ｓrfに対してデインターリーブ及び８−１６復調（図５参照）を施し、再生信号Ｓeを生成して識別情報抽出回路６５に出力する。
【０１４５】
次に、識別情報抽出回路６５は、後述するように、再生信号Ｓeから上記識別情報３５が含まれることとされている一部のデータ（一のＥＣＣブロックのうち、当該識別情報３５が含まれることとされている位置のデータ）を抽出し、識別情報信号ＳwとしてＣＰＵ５８に出力すると共に、入力された再生信号Ｓeをそのままエラー訂正回路５３に出力する。
【０１４６】
そして、エラー訂正回路５３は、ＣＰＵ５８の制御の下、入力された再生信号Ｓe内に含まれている上記ＥＣＣブロック３０’に対して上記ＥＣＣ内符号３１及びＥＣＣ外符号３２を用いたエラー訂正処理を施し、更にエラー訂正されたデータを画像情報と音声情報に分離して、画像情報を含む画像信号はビデオ回路５６に出力し、音声情報を含む音声信号はオーディオ回路５７に出力する。
【０１４７】
これらにより、ビデオ回路５６は入力された画像信号を元の画像に復元し、図示しないモニタ等に出力して表示する。また、オーディオ回路５７は入力された音声信号を元の音声に復元し、図示しないスピーカ等に出力する。
【０１４８】
一方、エラー訂正回路５３は、上述したエラー訂正処理と並行して、再生信号Ｓeの位相と、予め設定されている基準再生クロック信号の位相との位相差を検出し、位相差信号をスピンドルドライバ５４に出力する。そして、スピンドルドライバ５４は、当該位相差信号に基づいて、スピンドルモータ５５の回転数をサーボ制御する。
【０１４９】
なお、ＣＰＵ５８は上述した各構成部材の制御処理の他に、情報再生装置Ｓ全体の制御処理を行う。このとき、当該制御処理に必要な情報は操作パネル５９を介して外部から入力される。
【０１５０】
更に、当該制御処理に必要な情報は、一時的にＲＡＭ６０に記憶され、必要に応じてＣＰＵ５８に読み出される。
【０１５１】
また、情報再生装置Ｓの動作状態等は、必要に応じて液晶ディスプレイ等の表示部６６に表示される。
【０１５２】
次に、本発明に係るＤＶＤ５０に記録されているデータの再生動作について、図６及び図７を用いて説明する。なお、図７は当該再生動作を示すフローチャートである。
【０１５３】
再生動作においては、図７に示すように、始めに、ＤＶＤ５０に対して光ピックアップ５１から光ビームＢを照射し、その反射光を用いてＤＶＤ５０に記録されているデータを再生する（ステップＳ１０）。この時には、ＲＦアンプ５２により上述したフォーカスエラー信号Ｓfe及びトラッキングエラー信号Ｓteが生成されてサーボ回路６１に出力されると共にＲＦ信号Ｓrfが生成されて復調回路６４に出力される。
【０１５４】
次に、復調回路６４においてＲＦ信号Ｓrfに対してデインターリーブ及び８−１６復調が施され（ステップＳ１１）、再生信号Ｓeが生成される。
【０１５５】
この再生信号Ｓeの段階では、ＤＶＤ５０から検出されたデータは、デインターリーブ及び８−１６復調により図４に示すＥＣＣブロック３０’が複数個含まれた状態となっている。
【０１５６】
次に、識別情報抽出回路６５において、再生信号Ｓe内のＥＣＣブロック３０’のうち、上記識別情報３５が記録されている領域（上記カッティング装置Ｃにより製造されたスタンパディスクＳＰを用いてレプリケーションされたＤＶＤ５０の場合では、一のＥＣＣブロック３０’における第１９２行第１７２列目から第２０３行第１７２列目まで。なお、この領域に識別情報３５が含まれていることは、ＣＰＵ５８内に予め記憶されている。）のデータが検出され、識別情報信号ＳwとしてＣＰＵ５８に出力される（ステップＳ１２）。
【０１５７】
更にこれと並行して、識別情報抽出回路６５は、入力された再生信号Ｓeをそのままエラー訂正回路５３に出力する。
【０１５８】
次に、ＣＰＵ５８は、入力された識別情報信号Ｓwに含まれているデータの内容を確認し（ステップＳ１３）、当該データが上記識別情報３５であるか否か、すなわち、上記再生されたＥＣＣブロック３０’内に識別情報３５が含まれているか否かを判定する（ステップＳ１４）。
【０１５９】
ステップＳ１４の判定において、識別情報信号Ｓw内に含まれているデータが識別情報３５であったときは（ステップＳ１４；ｙｅｓ）、ＤＶＤ５０に記録されていたデータが正規に（オリジナルに）記録されたデータ、すなわち、不法複写されたものでないデータであるとして、次に、エラー訂正回路５３において、ＣＰＵ５８の制御の下、再生信号Ｓeに含まれているデータをＥＣＣブロック３０’内のＥＣＣ内符号３１及びＥＣＣ外符号３２を用いてエラー訂正し、ビデオ回路５６に出力すべき上記画像信号及びオーディオ回路５７に出力すべき上記音声信号を生成する（ステップＳ１５）。
【０１６０】
なお、ＥＣＣブロック３０’内の識別情報３５は、エラー訂正回路５３におけるエラー訂正ではエラーとして扱われて訂正されるため再生されたデータ内から消滅する。これは、当該識別情報３５が、エラー訂正用のＥＣＣ外符号３２及びＥＣＣ内符号３１が重複する部分のデータの一部を本来のエラー訂正用でないデータに置換したものであるので、エラー訂正回路５３におけるエラー訂正では、当該識別情報３５がエラーとして取り扱われるからである。
【０１６１】
ステップＳ１５において再生信号Ｓe内のデータに対するエラー訂正が終了すると、生成された画像信号については、ビデオ回路５６においてデスクランブル処理が実行されて画像として図示しないモニタ等に出力されると共に、音声信号についてはオーディオ回路５７において再生されて図示しないスピーカに出力される（ステップＳ１６）。なお、ビデオ回路５６におけるデスクランブルは、データ２４として他の画像等と共に記録されているキーデータを用いることにより実行される。
【０１６２】
一方、ステップＳ１４の判定において、識別情報３５が検出されていないときは（ステップＳ１４；ｎｏ）、ＤＶＤ５０に記録されていたデータが正規に記録されたデータではなく、従って不法複写されたデータであるとして、そのままデータの再生処理を実行せずに処理を終了する。
【０１６３】
以上説明したように、不法複写防止システムの第１実施形態に含まれるカッティング装置Ｃ及び情報再生装置Ｓの動作によれば、識別情報３５を検出したときのみエラー訂正された再生信号Ｓeが再生されるので、識別情報３５がない（すなわち不法複写された）データの不法な再生を防止することができる。
【０１６４】
また、ＥＣＣ内符号３１及びＥＣＣ外符号３２が付加された後のＥＣＣブロック３０の一部が識別情報３５に置換されているので、当該識別情報３５が再生時のエラー訂正により消滅することとなり、再生されたデータを他の情報記録装置に記録する際には識別情報３５は最早記録されないこととなり、識別情報３５を検出したときのみデータの再生が可能となる場合に、当該他の情報記録装置で記録されたデータが再生されることを防止できる。
【０１６５】
更に、ＥＣＣ内符号３１とＥＣＣ外符号３２とが重複する部分の一部が識別情報３５に置換されているので、本来の再生すべきデータ自体のエラー訂正に用いられるＥＣＣ内符号３１とＥＣＣ外符号３２は識別情報３５に置換されておらず、よって、データそのものに対するエラー訂正能力が低下することがない。
【０１６６】
（II）不法複写防止システムの第２実施形態
次に、本発明に係る不法複写防止システムの第２実施形態について、図８乃至図１３を用いて説明する。
【０１６７】
（Ａ）カッティング装置の実施形態
始めに、不法複写防止システムの第２実施形態（以下、単に第２実施形態と称する。）に係る上記カッティング装置の実施形態について、図８乃至図１１を用いて説明する。
【０１６８】
なお、以下に説明する第２実施形態のカッティング装置において、第１実施形態のカッティング装置Ｃと同様の部材には同様の部材番号を付して細部の説明は省略する。
【０１６９】
上述した第１実施形態のカッティング装置Ｃにおいては、識別情報３５のみがＥＣＣブロック３０に挿入されていたが、第２実施形態のカッティング装置では、ＥＣＣブロック３０内には、当該識別情報３５の他に、後述する世代情報、ＤＶＤ５０に記録すべきデータをデータ生成器１においてスクランブル変調する際のキーデータ及び挿入後の識別情報３５のＥＣＣブロック内の位置を示す位置情報が認証情報として挿入される。
【０１７０】
更に、これらの認証情報として挿入される各情報は、ＥＣＣブロック３０におけるＥＣＣ内符号３１とＥＣＣ外符号３２とが重なった領域だけでなく、それ以外のデータ領域にも挿入される。
【０１７１】
すなわち、図８に示すように、第２実施形態のカッティング装置Ｃ’は、第１実施形態のカッティング装置Ｃにおける識別情報書込器３に代えて置換手段としての認証情報書込器３’を備えると共に、ＥＣＣブロック３０に挿入すべき認証情報を生成する認証情報生成器１６を更に備える。
【０１７２】
その他の構成及び動作は、第１実施形態のカッティング装置Ｃと全く同様である。
【０１７３】
このとき、認証情報生成器１６は、図９に示すように、キーデータ生成部７０と、暗号化挿入手段としての暗号化部７１と、識別情報生成部７２と、世代情報生成部７３と、合成部７４と、並替手段としての並替部７５と、分割部７６と、分割制御部７７と、付加手段としての訂正符号付加部７８と、位置情報生成部７９と、により構成されている。
【０１７４】
更に、並替部７５は、図１０に示すように、バッファ８０と、バッファ書込回路８１と、バッファ読出回路８２と、により構成されている。
【０１７５】
次に、認証情報生成器１６の動作及びそれに伴う認証情報書込器３’の動作について、図９乃至図１１を用いて説明する。
【０１７６】
先ず、キーデータ生成部７０は、データ生成器１における上記スクランブル変調に用いられるキーデータを生成し、キーデータ信号Ｓkとして暗号化部７１に出力すると共に、データ生成器１に出力する。
【０１７７】
そして、データ生成器１では、このキーデータ信号Ｓkに基づき、カッティング装置Ｃ’内で計時されている時刻に基づいて予め設定された時間毎に予め設定された手順により変更されるスクランブル方法を用いて上記スクランブル変調を行う。
【０１７８】
このとき、当該キーデータは、例えば図示しない乱数発生器によって発生することで、毎回異なった値とすることができる。
【０１７９】
次に、暗号化部７１は、入力されたキーデータ信号Ｓkに含まれているキーデータを外部から入力されるパラメータＰを用いて予め設定された方法で暗号化し、暗号化キーデータＫＫを生成して暗号化キーデータ信号Ｓkkとして合成部７４に出力する。
【０１８０】
ここで、図１１最上段に示すように、キーデータ信号Ｓkに含まれているキーデータが、例えばその内容が「Ｋ１’」乃至「Ｋ５’」である５バイトからなるキーデータであるとすると、暗号化部７１では、当該５バイトのキーデータを各バイト毎にパラメータＰを用いて暗号化し、例えばその内容が「Ｋ１」乃至「Ｋ５」である５バイトからなる暗号化キーデータＫＫを含む暗号化キーデータ信号Ｓkkを生成する。
【０１８１】
なお、上記パラメータＰとしては、具体的には、例えば、カッティング装置Ｃ’の製造番号又は識別番号、製造されるスタンパディスクＳＰの製造番号又は識別番号若しくは時刻情報等が用いられる。
【０１８２】
また、キーデータの暗号化は、必ずしもバイト毎に行う必要はなく、キーデータのデータ長単位（上記の例では５バイト）で暗号化してもよい。
【０１８３】
一方、識別情報生成部７２は、ＥＣＣブロック３０に挿入すべき上記識別情報３５を生成し、識別情報信号Ｓiとして合成部７４へ出力する。
【０１８４】
更に、世代情報生成部７３は、カッティング装置Ｃ’内で計時されている時刻に対応する時刻信号Ｓtに基づいて、その時の上記スクランブル方法を示す世代情報を生成し、世代情報信号Ｓgとして合成部７４に出力する。
【０１８５】
そして、合成部７４は、上記暗号化キーデータ信号Ｓkk、識別情報信号Ｓi及び世代情報信号Ｓgを合成し、合成信号Ｓmを生成して並替部７５に出力する。
【０１８６】
この合成部７４の動作について具体的には、図１１上から三段目に示すように、識別情報信号Ｓiに含まれている識別情報３５（その内容は、例えば「Ｉ１」乃至「Ｉ３」の３バイト。）に対して、その内容が「Ｇ」である１バイトの世代情報ＧＧと、上記暗号化キーデータＫＫとを合成し、これにより認証情報Ｎを形成して合成信号Ｓmとして並替部７５へ出力する。
【０１８７】
次に、並替部７５は、図１１上から四段目に示すように、合成信号Ｓmに含まれる認証情報Ｎを各バイト毎にランダムに並べ替え、並替認証情報Ｎ’を生成し、並替信号Ｓmrとして分割部７６へ出力する。
【０１８８】
ここで、この並替部７５における並替処理について具体的に図１０を用いて説明すると、先ず、合成信号Ｓmが並替部７５に入力されると、図示しないＣＰＵからの制御信号Ｓcwに基づきバッファ書込回路８１から出力される書込アドレス信号Ｓwaに含まれる書込アドレスの指定に従って、当該合成信号Ｓmに含まれる認証情報Ｎがバッファ８０に順次一時的に書き込まれる。このとき、書込アドレス信号Ｓwaには、例えば書込イネーブル情報等の制御情報が含まれる場合もある。
【０１８９】
なお、バッファ８０の容量としては、一の認証情報Ｎの長さ（図１１の場合は９バイト）より大きい容量とされる。
【０１９０】
そして、バッファ８０への書き込みが終了すると、次に、図示しないＣＰＵからの制御信号Ｓcr及び外部から入力されるパラメータＰ’に基づきバッファ読出回路８２から出力される読出アドレス信号Ｓraに含まれる読出アドレスの指定に従って、当該記憶されている認証情報Ｎ内の各バイト毎の情報がランダムに並べ替えられて並替信号Ｓmrとして読み出される。このとき、読出アドレス信号Ｓraには、例えば読出イネーブル情報等の制御情報が含まれる場合もある。
【０１９１】
また、このときのパラメータＰ’としては、上記パラメータＰと同様に、カッティング装置Ｃ’の製造番号又は識別番号、製造されるスタンパディスクＳＰの製造番号又は識別番号若しくは時刻情報等が用いられる。
【０１９２】
なお、上記の並替部７５においては、読出アドレス信号Ｓraによりバッファ８０からの認証情報Ｎの読み出しの際に並べ替えを行ったが、この他に、書込アドレス信号Ｓwaによるバッファ８０への認証情報Ｎの書込みの際に各バイトの情報を並べ替えて記憶させてもよい。
【０１９３】
次に、分割部７６は、分割制御部７７からの制御信号Ｓbcにより指定される分割方法に基づいて、並替信号Ｓmrに含まれている並替認証情報Ｎ’を分割し、分割認証情報ＮＮを含む分割信号Ｓscを生成して訂正符号付加部７８に出力する。
【０１９４】
このとき、並替認証情報Ｎ’の分割方法としては、例えば、図１１上から五段目に示すように、当該並替認証情報Ｎ’を先頭から３バイトづつ分割してもよいし、また、その先頭から２バイト、３バイト及び４バイトづつ分割してもよい。
【０１９５】
ここで、各分割認証情報ＮＮのうち、一の分割認証情報ＮＮが夫々に一のＥＣＣブロック３０に挿入されることとなる。
【０１９６】
次に、訂正符号付加部７８は、分割された分割認証情報ＮＮの夫々に、所定のバイト数のエラー訂正符号を付加し、訂正認証情報ＣＭを含む訂正信号Ｓcmを生成して認証情報書込器３’に出力する。
【０１９７】
この時、具体的には、図１１に示すように、一の分割認証情報ＮＮについて、例えばその内容が「Ｅ１」及び「Ｅ２」である２バイトのエラー訂正符号ＥＥが付加されて訂正認証情報ＣＭが生成される。
【０１９８】
なお、図１１では、一の分割認証情報ＮＮについてのエラー訂正符号ＥＥの付加についてのみ示しているが、実際には、分割された全ての分割認証情報ＮＮについて夫々にエラー訂正符号ＥＥが付加される。
【０１９９】
一方、位置情報生成部７９は、当該生成された訂正認証情報ＣＭに含まれる各バイトの情報を挿入するＥＣＣブロック３０内の位置を示す位置情報を含む位置信号Ｓpoを生成し、認証情報書込器３’に出力する。
【０２００】
この場合、当該位置情報は、各ＥＣＣブロック３０内のランダムな位置（すなわち、上記ＥＣＣ内符号３１又はＥＣＣ外符号３２以外の領域を含んでランダムな位置）に挿入される訂正認証情報ＣＭに含まれる各バイトの位置を示すように生成され、更に、各ＥＣＣブロック３０毎に異なって挿入される当該位置を示すように生成される。
【０２０１】
そして、認証情報書込器３’は、図１１最下段に示すように、付加データ信号Ｓdeに含まれるＥＣＣブロック３０内のランダムな位置のデータを訂正認証情報ＣＭ及び位置信号Ｓpoに含まれるその内容が「ＰＯ」である位置情報ＰＰに置換し、ＥＣＣブロック３０”を生成し、これを含む置換データ信号Ｓdrを出力する。
【０２０２】
このとき、訂正認証情報ＣＭの各バイトの情報は、上記位置情報ＰＰに記述されているＥＣＣブロック３０内のランダムな位置に挿入されることとなる。
【０２０３】
この場合に、位置情報ＰＰは、ＥＣＣブロック３０内の予め設定された特定の位置に挿入される。この特定の位置は、後述する情報再生装置との間で予め取り決められているものである。具体的には、例えば、ＥＣＣブロック３０上の予め設定された固定位置としてもよいし、ＥＣＣブロック３０の付加データＳdeにおけるアドレスデータをパラメータとし、所定の関数に基づいて位置を特定するように構成することも可能である。
【０２０４】
この後は、上述した第１実施形態のカッティング装置Ｃと同様な動作が実行され、認証情報Ｎを含むＥＣＣブロック３０”により構成される記録データ信号Ｓrが記録されたスタンパディスクＳＰが形成され、これにより上記ＤＶＤ５０が大量生産されることとなる。
【０２０５】
なお、上記訂正認証情報ＣＭ及び位置情報ＰＰを組み合わせた情報組をＥＣＣブロック３０内の異なる位置に複数個記録するように構成してもよい。このように複数個記録することにより、例えばＤＶＤ５０の傷等によりある位置に記録した情報が読み取ることができなくなった場合に、他の位置に記録した情報をそのバックアップとして利用することができる。
【０２０６】
（Ｂ）情報再生装置の実施形態
次に、第２実施形態に係る上記情報再生装置の実施形態について、図１２及び図１３を用いて説明する。
【０２０７】
なお、以下に説明する情報再生装置において、第１実施形態の情報再生装置Ｓと同様の部材には同様の部材番号を付して細部の説明は省略する。
【０２０８】
上述した第１実施形態の情報再生装置Ｓにおいては、識別情報３５のみに基づいてＤＶＤ５０から再生された再生信号Ｓeをエラー訂正して再生出力することとしたが、第２実施形態の情報再生装置では、当該識別情報３５の他に、認証情報ＮとしてＤＶＤ５０に記録されている上記世代情報ＧＧ、キーデータＫＫ、識別情報３５及び位置情報ＰＰを用いて情報が再生される。
【０２０９】
すなわち、図１２に示すように、第２実施形態の情報再生装置Ｓ’は、上記第１実施形態の情報再生装置Ｓにおける識別情報抽出回路６５に代えて認証情報抽出回路６５’を備えると共に、これらの構成に加えて、エラー訂正回路９０と、復元回路９１と、解読回路９２と、を含んで構成される。
【０２１０】
その他の構成及び動作は、第１実施形態の情報再生装置Ｓと全く同様である。
【０２１１】
また、解読回路９２は、図１３に示すように、解読部選択回路９５と、第１解読部９６-1、第２解読部９６-2、…、第ｎ解読部９６-nと、により構成されている。
【０２１２】
ここで、第１解読部９６-1、第２解読部９６-2、…、第ｎ解読部９６-nは、夫々に、上記データ生成器１におけるスクランブル変調（時刻に応じてスクランブル方法を変更しつつ行われたスクランブル変調）に用いられた各スクランブル方法に夫々対応する解読処理を行うものである。
【０２１３】
次に、情報再生装置Ｓ’の動作を説明する。
【０２１４】
先ず、上述した光ピックアップ５１、ＲＦアンプ５２及び復調回路６４の動作により、再生信号Ｓeが生成されて認証情報抽出回路６５’に入力される。
【０２１５】
このとき、当該再生信号Ｓeには、再生すべき情報のほかに、各ＥＣＣブロック３０”毎に上記訂正認証情報ＣＭ及び位置情報ＰＰが含まれている。
【０２１６】
そして、認証情報抽出回路６５’は、最初に再生信号Ｓe中のＥＣＣブロック３０”から位置情報ＰＰを抽出し（当該位置情報ＰＰのＥＣＣブロック３０”内の位置については、予め情報再生装置Ｓ’内に記憶されている。）、この位置情報ＰＰに基づいて訂正認証情報ＣＭを抽出して訂正認証情報信号Ｓw'としてエラー訂正回路９０に出力する。
【０２１７】
また、認証情報抽出回路６５’は、上述した動作の他に、訂正認証情報ＣＭ及び位置情報ＰＰを抽出した後の再生信号Ｓeをそのままエラー訂正回路５３に出力する。
【０２１８】
次に、エラー訂正回路９０は、訂正認証情報ＣＭに含まれているエラー訂正符号ＥＥを用いて当該訂正認証情報ＣＭに対してエラー訂正を行い、更に、各ＥＣＣブロック３０”に分割されていた分割認証情報ＮＮを集約し、上記並替認証情報Ｎ’を含む訂正信号Ｓwcを生成して復元回路９１に出力する。
【０２１９】
そして、復元回路９１は、上記並替部７５による並替処理と逆の処理を並替認証情報Ｎ’に対して施すことにより、上記認証情報Ｎを復元する。
【０２２０】
更に、復元回路９１は、復元した認証情報Ｎのうち、上記暗号化キーデータＫＫを上記暗号化部７１における暗号化処理に対応する解読処理により解読し、元のキーデータを生成する。
【０２２１】
そして、認証情報Ｎに含まれていた世代情報ＧＧと上記解読されたキーデータを夫々世代情報信号Ｓg及びキーデータ信号Ｓkとして解読回路９２に出力すると共に、認証情報Ｎに含まれていた識別情報３５を含む識別情報信号Ｓwcmを生成し、ＣＰＵ５８に出力する。
【０２２２】
これにより、当該ＣＰＵ５８は、識別情報３５に基づいて、図７にステップＳ１４及びＳ１５として示す処理を実行する。
【０２２３】
一方、解読回路９２は、エラー訂正回路５３から出力されるエラー訂正後の再生信号Ｓeである訂正再生信号Ｓecの内容を解読し（すなわち、データ生成器１において実行されたスクランブル変調に対応するスクランブル復調を施し）、更に解読されたデータを画像情報と音声情報に分離して、画像情報を含む画像信号はビデオ回路５６に出力し、音声情報を含む音声信号はオーディオ回路５７に出力する。
【０２２４】
ここで、解読回路９２の動作についてより具体的に説明すると、先ず、当該入力された訂正再生信号Ｓecは、世代情報ＧＧに基づいて解読部選択回路９５により選択された解読部に対して、キーデータ信号Ｓkに含まれているキーデータと共に出力される。
【０２２５】
すなわち、世代情報ＧＧにはデータ生成器１において実行されたスクランブル変調におけるスクランブル方法を指定する指定情報が含まれているので、この指定情報に基づいて、解読部選択回路９５が当該実行されたスクランブル方法に対応する解読方法を有する解読部を選択し、当該選択された解読部に対して訂正再生信号Ｓecをキーデータ信号Ｓkに含まれているキーデータと共に出力するのである。
【０２２６】
なお、図１３は、世代情報ＧＧに基づいて第２解読部９６-2が選択された状態を示している。
【０２２７】
そして、解読部選択回路９５により選択された解読部（図１３の場合、第２解読部９６-2）は、入力されたキーデータを用いて訂正再生信号Ｓecに含まれている情報を解読して（すなわち、スクランブル復調して）上記画像情報を含む画像信号及び音声情報を含む音声信号を出力する。
【０２２８】
以上説明したように、不法複写防止システムの第２実施形態に含まれるカッティング装置Ｃ’及び情報再生装置Ｓ’の動作によれば、第１実施形態のカッティング装置Ｃ及び情報再生装置Ｓの動作による効果に加えて、不法複写防止のためにＥＣＣブロック３０”の並替認証情報Ｎ’の置換位置が変更されていても、位置情報ＰＰを手がかりとして並替認証情報Ｎ’を抽出することができるので、並替認証情報Ｎ’の置換位置を変更することにより、情報再生時のエラー訂正前に並替認証情報Ｎ’が不法に読み出されることを防止できる。
【０２２９】
また、並替認証情報Ｎ’が、元の認証情報Ｎを構成する各バイトの内容を並べ替えることにより生成されているので、情報再生時にエラー訂正前に並替認証情報Ｎ’が読み出されても、元の認証情報Ｎが認識されることを防止できる。
【０２３０】
更に、世代情報ＧＧ内に暗号化処理の内容及び暗号化の時刻が含まれており、且つ、再生時に、当該暗号化の時刻に応じて暗号化を解く解読処理の内容を各暗号化処理の内容毎に選択することにより、当該再生時に一の暗号化処理の内容が漏洩しても、他の暗号化処理の内容を用いて暗号化されたデータを解読でき、効果的に不法複写を防止できる。
【０２３１】
また、認証情報Ｎ内にスクランブル復調のためのキーデータが含まれているので、再生時に、当該認証情報Ｎが取得できないと暗号化された記録情報が解読できないこととなり、効果的に不法複写を防止できる。
【０２３２】
更にまた、認証情報Ｎは再生時に消滅するので、一度再生時のスクランブル復調に用いられたキーデータも消滅することとなり、当該キーデータが外部に漏洩することが防止でき、従って、より強力に不法複写を防止することができる。
【０２３３】
なお、この構成は、例えば、情報再生装置Ｓ’がホストコンピュータの外部記憶装置である場合で、当該情報再生装置Ｓ’からホストコンピュータに対して上記キーデータを送信する必要があるとき等においては、認証情報Ｎ内にキーデータを含ませ、外部記憶装置である情報再生装置Ｓ’においてＤＶＤ５０内のデータが不法複写されたものか否かを判定し、不法複写されたものでないときのみキーデータを暗号化してホストコンピュータに送信することにより、不法複写されたデータがホストコンピュータに取り込まれ、それにより例えば、ホストコンピュータがコンピュータウイルス等に感染すること等を防止できる。
【０２３４】
更に、暗号化のためのキーデータが更に暗号化されて認証情報Ｎに含まれているので、暗号化された記録情報を不法にスクランブル復調解読することが更に困難になる。
【０２３５】
また、認証情報Ｎ自体にエラー訂正符号ＥＥが付加されているので、再生時に認証情報Ｎがエラーとなっても、これを訂正して確実に認証情報Ｎを認識することができる。
【０２３６】
更に、認証情報Ｎを分割して複数のＥＣＣブロック３０”に含ませていることにより、一のＥＣＣブロック３０”だけを見ると認証情報Ｎに置換されるデータ量が減少するため、当該一のＥＣＣブロック３０”における全体としてのエラー訂正能力の低下を低減することができる。
【０２３７】
また、複数のＥＣＣブロック３０”に渡って認証情報Ｎの並べ替えが行われているので、再生時により効果的に認証情報Ｎの漏洩を防止できる。
【０２３８】
なお、上記第２実施形態では、位置情報ＰＰを訂正認証情報ＣＭと共に付加データ信号Ｓdeに含まれるＥＣＣブロック３０に挿入するように構成したが、これ以外に、位置情報ＰＰを画像情報等により構成されるデータストリーム上における使用者の視覚特性上又は聴覚特性上重要でない領域（例えば、画像情報の高周波領域）に、いわゆるウオーターマークとして挿入するように構成してもよい。
【０２３９】
（III）変形形態
次に、本発明の変形形態について説明する。
【０２４０】
すなわち、変形形態として、上述の各実施形態では、識別情報３５として、本来のエラー訂正符号等とは全く関係のない識別情報を挿入したが、これ以外に、以下のようにしてエラー訂正符号以外のデータを挿入することなく識別情報と同等の情報をＥＣＣブロック３０に含ませることができる。
【０２４１】
すなわち、例えば、ＥＣＣブロック３０内のいずれか１バイトのデータの内容が、
ｄ0、ｄ1、ｄ2……ｄ6、ｄ7
であるとする。そして、ＥＣＣブロック３０内に含ませるべき識別情報内のあるビットの値が「３」であるとすると、上記１バイト内のデータの配列を３ビットだけシフトさせて、
ｄ5、ｄ6、ｄ7、ｄ0、ｄ1……ｄ4
と並び替えてＤＶＤ５０（スタンパディスクＳＰ）に記録する。
【０２４２】
そして、再生時においては、上記並び替えた１バイトのデータをエラー訂正する際に、どれだけビット数をシフトさせると元のデータが得られたかを判定することにより、識別情報内のビットの値が取得される。この処理を識別情報内の全てのビット分だけ繰り返せば、ＥＣＣブロック３０内に本来のデータ以外のデータを全く挿入させることなく、上記識別情報３５と同等の機能を実現することができる。
【０２４３】
なお、この変形形態の方法によると、並び替える１バイトのデータの内容が、例えば、「１０１０１０１０」であるとすると、再生時のエラー訂正においては、シフト数は「０」、「２」、「４」または「６」のいずれかとなり、特定できなくなる場合もあるが、その場合には、エラー訂正符号における冗長度を増加させたり、パターンマッチングとエラー訂正とを組み合わせることで正しい識別情報を再生時に取得することができる。
【０２４４】
すなわち、例えば、上記「１０１０１０１０」のデータを繰り返し挿入して（すなわち、冗長度を増加させて）再生時に可能となるデータの組み合わせ数を少なくすると共に、夫々のデータをエラー訂正することにより正しい識別情報（すなわち、正しいシフト数）を取得することができる。
【０２４５】
更に、上述した各実施形態及び変形形態においては、ＤＶＤ５０に記録されるデータに対して本発明を適用した場合について説明したが、本発明はこれ以外に、ＥＣＣブロックを用いてデータのエラー訂正を実行する場合すべてに適用可能である。
【０２４６】
より具体的に述べると、例えば、上記ＥＣＣブロック３０’（又は３０”）を含むデータを生成した後これを電話回線を介して伝送し、当該伝送先で不法複写でないことを確認して再生する場合に適用することができる。
【０２４７】
その他、同様にして、ＣＡＴＶ（Cable  Television）によるデータの伝送や、ＭＤ（Mini  Disk）、ＤＡＴ（Digital  Audio  Tape）またはＤＶＤ−Ｒ（DVD-Recordable；記録可能なＤＶＤ）を用いた情報の記録再生に適用することもできる。
【０２４８】
（IV）本発明と従来の不法複写防止技術との組み合わせに係る実施形態
次に、本発明と従来から提案されている不法複写防止技術とを併用した場合の実施形態について説明する。
【０２４９】
すなわち、例えば、画像情報等のスクランブルを解くキーデータを記録情報として記録すると共に、識別情報３５を本発明によって記録することにより、不法複写を二重に防止する効果が期待できる。
【０２５０】
ここで、より具体的に、第１実施形態の不法複写防止システムと従来から提案されている不法複写防止技術とを併用する例について説明する。
【０２５１】
先ず、第１実施形態の識別情報３５と組み合わされて不法複写の防止に用いられる従来の技術について簡単に説明すると、当該従来技術とは、画像情報等により構成されるデータストリーム上における人の視覚特性又は聴覚特性上重要でない部分（例えば、画像情報の高周波数領域）に、上述したウオーターマークに類する特定の識別情報を挿入するものである。
【０２５２】
そして、この従来技術と第１実施形態の識別情報３５とを組み合わせた場合の構成としては、具体的には、従来技術の識別情報としてＣＧＭＳ（Copy  Generation  Management  System）データ（複写の許可又は不許可、或いはタイムシフト記録（内容は後述）の許可又は不許可を示すデータ）をデータ領域に記録し、一方、第１実施形態の識別情報３５としてＣＭ（Compliance  Mark）データ（認証データ。すなわち、不法複写されたものでないことを示す識別情報）をＥＣＣ内符号３１とＥＣＣ外符号３２との重複した部分に記録する。
【０２５３】
ここで、以下に説明する具体例では、ＣＧＭＳデータ及びＣＭデータを以下のように定義するものとする。
【０２５４】
ＣＧＭＳデータ；００  →  複写許可
ＣＧＭＳデータ；０１  →  タイムシフト記録許可
ＣＧＭＳデータ；１１  →  複写不可
ＣＭデータ；１１  →  認証されている（不法複写されたものではない。）
ＣＭデータ；＊＊  →  認証されていない（不法複写されたものである。）
なお、この定義において、ＣＧＭＳデータについて「１０」は未定義であり、ＣＭデータにおける「＊＊」は「１１」以外の全てのデータを示している。
【０２５５】
ここで、上記タイムシフト記録とは、放送番組を再生用に録画することを示している。すなわち、実際の放送時間とその放送番組を視聴する時間とがずれていることをタイムシフトと称するのである。従って、ＣＧＭＳデータとしての「０１」は、画像情報等が例えば衛星放送を受信することにより得られたものである場合であって、録画したものを後で再生することを許可するときのみ付加されるものである。
【０２５６】
なお、画像情報等が上述したＤＶＤ５０から供給されるときは、ＣＧＭＳデータとしては、「００」又は「１１」のいずれか一方のみが付加されることとなる。
【０２５７】
また、画像情報等は上述のようにキーデータを用いてスクランブル化されて光ディスクに記録されるか又は伝送されるものであるので、このときには画像情報の一部である上記ＣＧＭＳデータもスクランブル化されて記録又は伝送される。
【０２５８】
そして、ＤＶＤ５０を再生する情報再生装置又は衛星放送を受信する衛星放送受信機（以下、ＩＲＤ（Integrated  Receiver  Decoder）と称する。）が当該画像情報等をキーデータを使用してデスクランブル化すると共に復調したのち、アナログビデオ信号として出力するが、このアナログビデオ信号にもＣＧＭＳデータが含まれることとなる。
【０２５９】
以上説明したことを前提として、以下、画像情報等がＤＶＤ５０から供給される場合とＩＲＤから供給される場合とについて、本発明の識別情報３５と従来の識別情報とを用いた不法複写防止の具体例を説明する。
【０２６０】
（Ａ）画像情報等がＤＶＤから供給される場合
画像情報等がＤＶＤ５０（以下、一般に光ディスクと称する。）から供給される場合において、その不法複写を防止するシステムに含まれる装置には以下のものがある。
【０２６１】
すなわち、画像情報等を再生するものとしては、光ディスクを再生してアナログビデオ信号を出力するプレーヤと、光ディスクに記録されている画像情報等がコンピュータデータである場合に、これを再生してディジタルデータとしてコンピュータに出力するためのドライバとがある。
【０２６２】
また、再生された画像情報等を記録するものとしては、プレーヤから出力されたアナログビデオ信号を記録するレコーダと、ドライバから出力されるディジタルデータを記録するライタとがある。
【０２６３】
ここで、プレーヤには、画像情報等をデスクランブル化して復号するためのデコーダ用ＩＣ（Integrated  Circuit）が備えられている。そして、当該デコーダ用ＩＣはデスクランブル化のための上記キーデータを記憶しており、光ディスクを供給する供給元から厳重な管理の下でプレーヤの製造者に供給されるものである。このとき、デコーダ用ＩＣ自体がＩＣ化されているので、外部からはキーデータを取得することはできず、実質的に不法なプレーヤが製造されることはない。
【０２６４】
また、ドライバについては、当該ドライバはコンピュータの周辺機器としての位置づけがされるものであり、コンピュータ側に備えられているビデオ入力用ボード（上述したプレーヤにおけるデコーダ用ＩＣと同様のものを備え、ドライバから出力されるディジタルデータをデスクランブル化して復号する。）に対してデスクランブル化される前の画像情報等（光ディスクから再生された画像情報等）を転送する。このとき、画像情報等の供給元から不法でないと認定されているドライバは、ディジタルデータをビデオ入力用ボードに転送する前に当該ビデオ入力用ボードとの間で認定コード（互いが不法でないと認定されているものか否かを確認するためのコードデータ）の授受を実行し、双方が認定されたものであるときのみデータの授受を実行する構成となっている。従って、ドライバとビデオ入力用ボードのいずれか一方が不法でないと認定されてないものであるときは、上記認定コードの授受ができず、ディジタルデータの授受も実行されない。
【０２６５】
一方、これらのプレーヤ又はドライバに対し、レコーダ及びライタについては、夫々に、不法なものでないと認定されたレコーダ又はライタと当該認定がされていない（すなわち、不法なものであるとみなされる）レコーダ又はライタが考えられる。以下、夫々の場合について、場合を分けて不法複写の防止について説明する。
【０２６６】
（ａ）認定されているレコーダがプレーヤからの画像情報等を記録する場合
認定されているレコーダは、先ず、プレーヤとの間で上記認定コードの授受を行い、互いが不法なものでないことを確認する。そして、当該確認後、入力されてくるアナログビデオ信号からＣＧＭＳデータを抽出し、当該ＣＧＭＳデータが「００」の場合のみアナログビデオ信号の記録を開始する。
【０２６７】
ここで、プレーヤはすべて不法でないと認定されるので、不法でないと認定されているレコーダでは、プレーヤから出力されるアナログビデオ信号（当該アナログビデオ信号においては、本発明の構成によりＣＭデータは消失している。）に対してＣＭデータとして「１１」を新たに付加し直して記録する。従って、認定されているレコーダにおいて記録される画像情報等においては、ＣＧＭＳデータは必ず「００」であり、また、ＣＭデータは必ず「１１」となる。
【０２６８】
（ｂ）認定されていないレコーダがプレーヤからの画像情報等を記録する場合
認定されていないレコーダが上記プレーヤに接続された場合でも、最初に上記認定コードの授受が行われ、通常であればこの段階で認定コードの授受ができずプレーヤはアナログビデオ信号を出力することを停止し、不法複写が防止されることとなる。
【０２６９】
しかし、何らかの理由により、プレーヤが認定されていないレコーダを認定されているものであると誤認識した場合には、アナログビデオ信号は当該レコーダに出力され、記録されてしまうこととなる。
【０２７０】
しかしながら、この場合には、当該認定されていないレコーダではＣＭデータを「１１」として新たに記録し直すことができないので、結果として当該レコーダで記録された画像情報等におけるＣＭデータは上記「＊＊」となり、本発明により当該画像情報等が他のプレーヤで再生されることはなく、不法複写された画像情報等の再生を防止できる。
【０２７１】
（ｃ）認定されているドライバで光ディスクを再生する場合
認定されているドライバで光ディスクを再生した場合に、再生したディジタルデータの転送先としては、
（ｉ）  認定されているビデオ入力用ボード
（ii）  認定されているライタ
（iii）  認定されてないライタ
の三つが考えられる。
【０２７２】
このうち、（iii）の認定されていないライタに対して転送しようとすると、初期段階で実行される上記認定コードの授受において当該授受ができないので、ドライバにおいてライタが認定されているものでないことが認識でき、ディジタルデータの転送を行わないので、不法複写は防止できる。
【０２７３】
次に、（ｉ）の認定されているビデオ入力用ボードに転送するときに、最初に認定コードの授受を実行した後、ビデオ入力ボードではドライバからディジタルデータの供給を受け、その中のＣＭデータが「１１」の場合のみデスクランブル化及び復号を行って外部機器（当該ビデオ入力用ボードが装着されているコンピュータ等）に出力する。
【０２７４】
なお、最初に認定コードの授受を実行した際に、ビデオ入力ボードが認定されていない不法なものであると確認された場合には、ドライバからディジタルデータの供給が行われないのは勿論である。
【０２７５】
更に、（ii）の認定されているライタの場合は、上述した「認定されているレコーダがプレーヤからの画像情報等を記録する場合」と同様の処理となり、ＣＧＭＳデータが「００」であり、且つＣＭデータが「１１」である画像情報等しか記録生成されないこととなる。
【０２７６】
（ｄ）認定されていないドライバで光ディスクを再生する場合
この場合には、当初の認定コードの授受により、上記認定されているビデオ入力用ボードと認定されているライタにはディジタルデータが出力されない（ビデオ入力用ボード又はライタにおいては認定されていないドライバからのディジタルデータの入力を拒否する構成とされている。）ので、結局、ディジタルデータが転送されるのは、上記認定されてないライタのみとなる。そして、当該認定されていないライタでディジタルデータを記録した場合には、ＣＭデータが「＊＊」となるので、プレーヤ及びビデオ入力用ボードでは、当該ライタで記録されたデータを不法複写されたものであるとして再生しないこととなる。
【０２７７】
以上、各場合について説明したように、画像情報等にＣＧＭＳデータを挿入し、更にＥＣＣ符号領域にＣＭデータを挿入することで、不法コピーされた光ディスクを実質的に排除することができる。
【０２７８】
（Ｂ）画像情報等が衛星放送から供給される場合
衛星放送を受信してデコードする上記ＩＲＤと上記認定されたレコーダとを組み合わせた場合には、最初に当該ＩＲＤとレコーダの間で上記認定コードの授受を行って、相互に不法なものでないことを確認する。
【０２７９】
ここで、衛星放送から供給される画像情報等では、ＣＧＭＳデータは「０１」か、又は「１１」のいずれか一方となっている。ここで、ＣＭデータが挿入されていない場合に、ＣＧＭＳデータが「０１」、すなわち、タイムシフト記録許可であるとすると、一度複写されたものから何度でも不法複写されることとなる。
【０２８０】
そこで、ＣＧＭＳデータとＣＭデータとを組み合わせて衛星放送として放送し、これをＩＲＤにて受信した後、これを記録するレコーダでは、ＩＲＤと相互に認定処理を実行し、画像情報等の供給元がＩＲＤであるときはＣＧＭＳデータを「０１」とすると共にＣＭデータを「１１」として画像情報等に付加し、光ディスク又はビデオテープ等へ記録する。この場合には、その後の光ディスク又はビデオデータ等からのタイムシフト記録が可能となる。
【０２８１】
一方、レコーダが、相互認定の結果画像情報等の供給元がＩＲＤでなくプレーヤであると判定した場合（すなわち、衛星放送を受信後、一度光ディスクに記録されたものをプレーヤで再生している状態である場合）には、当該画像情報中のＣＧＭＳデータが「０１」か「００」かを確認し、「０１」である場合には、一度光ディスク等に記録されたものの再複写となるのでＣＭデータを「＊＊」として記録する。これにより、ＣＭデータが「＊＊」であるので、その後にプレーヤ等で再生されることはなく、多段階の複写及び再生を防止できる。
【０２８２】
なお、このように、レコーダで記録を認めてもその再生を認めないほうが、レコーダにおける記録自体を認めない場合に比して光ディスクが消耗することとなるので、不法複写防止には効果的である。
【０２８３】
（Ｃ）その他の具体例
その他の具体例として、光ディスクの画像情報領域に挿入する識別情報（上記ＣＧＭＳ）に加えて、当該画像情報領域内にＣＭデータに類する副識別情報としての認証データ（不法複写されたものでないことを示す認証データ）をも記録し、更にＥＣＣ符号領域に上記ＣＭデータを記録するように構成することもできる。
【０２８４】
そして、このとき、画像情報領域に挿入する認証データＭとＣＭデータＮとを所定の関数ｆを用いて、
【数２７】
Ｍ＝ｆ（Ｎ）
の関係を有するように付加することにより不法複写防止の効果を更に高めることができる。
【０２８５】
すなわち、画像情報等の再生時に、検出した認証データＭとＣＭデータＮとが上述した関係を有していないときは再生しないようにするのである。
【０２８６】
このように上記関数ｆを設定することにより、ＣＭデータＮ又は認証データＭのいずれか一方が何らかの方法で不法に取得された場合でも、上記関数ｆが取得されない限り一方の取得されているデータから他方のデータを求めることができないので、当該不法複写された画像情報等が再生されることを防止できる。
【０２８７】
また、ＥＣＣブロック３０毎にＣＭデータＮ並びに上記関数ｆに基づいて認証データＭを変更して記録するようにすれば、当該ＣＭデータＮ及び認証データＭ自体の外部への漏洩も防止できる。すなわち、ＣＭデータＮ、延いては認証データＭをランダムに変更することができるので、固定化されたＣＭデータＮを記録するだけの場合と比較した場合に規則性をより特定しにくくして不法複写を防止することができるのである。
【０２８８】
また、上述した具体例では、画像情報領域内にＣＧＭＳデータを挿入する場合について述べたが、これ以外に、画像情報がＭＰＥＧ（Moving  Picture  Expert  Group）方式のデータであるときは、夫々のピクチャ毎の識別データ、すなわち、Ｉピクチャ、Ｐピクチャ又はＢピクチャのいずれであるかを示すデータを識別情報として画像情報領域に挿入してもよい。
【０２８９】
この場合に、認定されているレコーダであれば記録用のエンコードの際に原画像とピクチャの種類を一致させて正確に記録することができる。
【０２９０】
一方、認定されてないレコーダで記録された画像情報では、各ピクチャの種類の識別及び原画像との対応づけが正しくなされないで記録されるので、プレーヤにてこの識別及び対応づけが正しくなされていないことを検出すれば、不法複写であることを検出することができる。
【０２９１】
【発明の効果】
以上説明したように、請求項１に記載の発明によれば、出力情報に対してエラー訂正符号を付加して訂正符号付加出力情報を生成し、生成された訂正符号付加出力情報の一部を識別情報の値に対応した量だけ当該一部を構成するデータの配列を移動させることにより生成された再配列情報に置換して置換出力情報を生成するので、例えば、生成された置換出力情報を情報記録媒体に記録し、更に当該情報記録媒体から出力情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）出力情報の不法な再生を防止することができる。
【０２９２】
更に、エラー訂正符号を付加した後に訂正符号付加出力情報の一部を再配列情報に置換するので、記録情報の再生時に再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【０２９３】
従って、識別情報を検出したときのみ出力情報の再生が可能となる情報再生装置においては、当該情報記録装置で記録された出力情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０２９４】
また、例えば、生成された置換出力情報を他の情報再生装置に伝送してこれを再生する際に、識別情報を検出したときのみ再生可能として再生すれば、識別情報が検出されない出力情報が伝送されてもその不法な再生を防止することができる。
【０２９５】
更にまた、伝送後に再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【０２９６】
従って、識別情報を検出したときのみ出力情報の再生が可能となる情報再生装置においては、当該情報記録装置で記録された出力情報が再生されることを防止できる。
【０２９７】
請求項２に記載の発明によれば、請求項１に記載の発明の効果に加えて、副識別情報Ｍと識別情報Ｎとが
【数２８】
Ｍ＝ｆ（Ｎ）
の関係にあるので、例えば、情報記録媒体に記録された出力情報の再生時に、上記識別情報Ｎ及び副識別情報Ｍが共に得られたときのみ出力情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、記録された出力情報を再生する再生装置においては、当該不法複写された出力情報が再生されることをより効果的に防止できる。
【０２９８】
請求項３に記載の発明によれば、請求項１又は２に記載の発明の効果に加えて、エラー訂正符号が内符号の検査シンボルと外符号の検査シンボルとにより構成されると共に、内符号の検査シンボルと外符号の検査シンボルとが重複する部分の一部を再配列情報に置換するので、情報記録媒体に記録された出力情報の再生時における当該出力情報自体のエラー訂正に用いられる内符号の検査シンボルと外符号の検査シンボルが再配列情報に置換されることがなく、出力情報そのものに対するエラー訂正能力が低下することがない。
【０２９９】
また、同様に、伝送された出力情報の再生時においても、出力情報そのものに対するエラー訂正能力が低下することがない。
【０３００】
請求項４に記載の発明によれば、記録情報に対してエラー訂正符号を付加して形成される訂正符号付加記録情報の一部を識別情報の値に対応した量だけ当該一部を構成するデータの配列を移動させることにより生成された再配列情報に置換して形成される置換記録情報が記録されているので、当該情報記録媒体から置換記録情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）記録情報の不法な再生を防止することができる。
【０３０１】
また、エラー訂正符号が付加された訂正符号付加記録情報の一部が再配列情報に置換されているので、再配列情報が抽出され、それにより識別情報が検出されて記録情報が再生されても、再配列情報は当該再生時のエラー訂正により消滅することとなり、当該再生された記録情報を他の情報記録装置に記録する際には再配列情報は最早記録されない。
【０３０２】
よって、識別情報を検出したときのみ記録情報の再生が可能となる情報再生装置においては、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３０３】
請求項５に記載の発明によれば、請求項４に記載の発明の効果に加えて、不法複写防止のために置換記録情報内の再配列情報の置換位置が変更されていても、位置情報を手がかりとして再配列情報を抽出することができるので、再配列情報の置換位置を変更することにより、記録情報再生時のエラー訂正前に再配列情報が不法に読み出されることを防止できる。
【０３０４】
請求項６に記載の発明によれば、請求項４又は５に記載の発明の効果に加えて、識別情報が、不法複写でないことを示す原識別情報を構成する符号の並べ替えにより生成されているので、記録情報の再生時にエラー訂正前に再配列情報が読み出されても、元の原識別情報が認識されることを防止できる。
【０３０５】
請求項７に記載の発明によれば、請求項６に記載の発明の効果に加えて、複数のエラー訂正単位に渡って並べ替えが行われているので、記録情報の再生時により効果的に識別情報の漏洩を防止できる。
【０３０６】
請求項８に記載の発明によれば、請求項４から７のいずれか一項に記載の発明の効果に加えて、複数のエラー訂正単位に渡って一の再配列情報が含まれているので、記録情報の記録時に更に効果的に識別情報の漏洩を防止できる。
【０３０７】
請求項９に記載の発明によれば、請求項４から８のいずれか一項に記載の発明の効果に加えて、世代情報内に暗号化処理の内容及び暗号化時刻が含まれているので、記録情報の再生時に、当該暗号化時刻に応じて暗号化を解く解読処理内容を各暗号化処理の内容毎に選択すれば、当該出力時に一の暗号化処理の内容が漏洩しても、他の暗号化処理の内容を用いて暗号化された記録情報を解読でき、効果的に不法複写を防止できる。
【０３０８】
請求項１０に記載の発明によれば、請求項９に記載の発明の効果に加えて、再生時に、識別情報が取得できないと暗号化された出力情報が解読できないので、効果的に不法複写を防止できる。
【０３０９】
請求項１１に記載の発明によれば、請求項１０に記載の発明の効果に加えて、暗号化のための暗号化鍵が更に暗号化されているので、暗号化された記録情報を解読することを更に困難にすることができる。
【０３１１】
請求項１２に記載の発明によれば、請求項４から１１のいずれか一項に記載の発明の効果に加えて、記録情報に対して副識別情報が予め付加されており、更に訂正符号付加記録情報が、副識別情報が付加された記録情報に対してエラー訂正符号を付加することにより形成されていると共に、副識別情報Ｍと識別情報Ｎとが、予め設定された関数ｆに基づいて、
【数２９】
Ｍ＝ｆ（Ｎ）
の関係にあるので、当該情報記録媒体からの記録情報の再生時に、上記識別情報Ｎ及び副識別情報Ｍが共に得られたときのみ記録情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、記録情報を再生する再生装置においては、当該不法複写された出力情報が再生されることをより効果的に防止できる。
【０３１２】
請求項１３に記載の発明によれば、請求項４から１２のいずれか一項に記載の発明の効果に加えて、エラー訂正符号が内符号の検査シンボルと外符号の検査シンボルとにより構成されると共に、内符号の検査シンボルと外符号の検査シンボルとが重複する部分の一部が再配列情報に置換されて記録されているので、記録情報自体のエラー訂正に用いられる内符号の検査シンボルと外符号の検査シンボルが再配列情報に置換されることがなく、記録情報そのものに対するエラー訂正能力が低下することがない。
【０３１３】
請求項１４に記載の発明によれば、抽出された再配列情報から配列を移動させる前のデータを得るために必要な当該再配列情報の配列の移動量を求め、当該移動量に基づいて識別情報を検出したときのみエラー訂正後の記録情報が再生可能となるので、識別情報が検出されなかった（すなわち不法複写された）記録情報の不法な再生を防止することができる。
【０３１４】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【０３１５】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３１６】
請求項１５に記載の発明によれば、抽出された再配列情報から配列を移動させる前のデータを得るために必要な当該再配列情報の配列の移動量を求め、当該移動量に基づいて識別情報を検出したときのみ記録情報が再生可能となるので、識別情報が検出されなかった（すなわち不法複写された）記録情報の不法な再生を防止することができる。
【０３１７】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【０３１８】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３１９】
請求項１６に記載の発明によれば、請求項１４又は１５に記載の発明の効果に加えて、上記識別情報Ｎ及び副識別情報Ｍが共に得られたときのみ記録情報を再生するので、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、情報再生時においては、当該不法複写された出力情報が再生されることをより効果的に防止できる。
【０３２０】
請求項１７に記載の発明によれば、請求項１４から１６のいずれか一項に記載の発明の効果に加えて、エラー訂正符号が内符号の検査シンボルと外符号の検査シンボルとにより構成されると共に、内符号の検査シンボルと外符号の検査シンボルとが重複する部分の一部が再配列情報に置換されているので、記録情報自体のエラー訂正に用いられる内符号の検査シンボルと外符号の検査シンボルは再配列情報に置換されておらず、よって、記録情報そのものに対するエラー訂正能力が低下することがない。
【０３２１】
請求項１８に記載の発明によれば、出力情報に対してエラー訂正符号を付加して訂正符号付加出力情報を生成し、生成された訂正符号付加出力情報の一部を識別情報の値に対応した量だけ当該一部を構成するデータの配列を移動させることにより生成された再配列情報に置換して置換出力情報を生成するので、例えば、生成された置換出力情報を情報記録媒体に記録し、更に当該情報記録媒体から出力情報を再生する際に、抽出された再配列情報から配列を移動させる前のデータを得るために必要な当該再配列情報の配列の移動量を求め、当該移動量に基づいて識別情報を検出したときのみ再生可能として再生すれば、識別情報が検出されなかった（すなわち不法複写された）出力情報の不法な再生を防止することができる。
【０３２２】
更に、エラー訂正符号を付加した後に訂正符号付加出力情報の一部を再配列情報に置換するので、記録情報の再生時に再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【０３２３】
従って、識別情報を検出したときのみ出力情報の再生が可能となる情報再生装置においては、当該情報記録装置で記録された出力情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３２４】
また、例えば、生成された置換出力情報を他の情報再生装置に伝送してこれを再生する際に、識別情報を検出したときのみ再生可能として再生すれば、識別情報が検出されない出力情報が伝送されてもその不法な再生を防止することができる。
【０３２５】
更にまた、伝送後に再配列情報が抽出され、それにより識別情報が検出されて出力情報が再生されても、再配列情報は当該再生時のエラー訂正により消滅することとなり、当該再生された出力情報を情報記録装置により記録する際には再配列情報は最早記録されない。
【０３２６】
従って、識別情報を検出したときのみ出力情報の再生が可能となる情報再生装置においては、当該情報記録装置で記録された出力情報が再生されることを防止できる。
【０３２７】
請求項１９に記載の発明によれば、請求項１８に記載の発明の効果に加えて、不法複写防止のために置換出力情報内の再配列情報の置換位置を変更しても、位置情報を手がかりとして再配列情報を抽出することができるので、再配列情報の置換位置を変更することにより、エラー訂正前に識別情報が不法に読み出されることを防止できる。
【０３２８】
請求項２０に記載の発明によれば、請求項１８又は１９に記載の発明の効果に加えて、識別情報が不法複写でないことを示す原識別情報を構成する符号の並べ替えにより生成されるので、出力情報の出力時のエラー訂正前に再配列情報が読み出されて、それにより識別情報が検出されても、元の原識別情報が認識されることを防止できる。
【０３２９】
請求項２１に記載の発明によれば、請求項２０に記載の発明の作用に加えて、複数のエラー定生単位に渡って並べ替えが行われるので、出力情報の出力時により効果的に識別情報の漏洩を防止できる。
【０３３０】
請求項２２に記載の発明によれば、請求項１８から２１のいずれか一項に記載の発明の効果に加えて、複数のエラー訂正単位に渡って一の再配列情報が含まれるので、出力情報の出力時に更に効果的に識別情報の漏洩を防止できる。
【０３３１】
請求項２３に記載の発明によれば、請求項１８から２２のいずれか一項に記載の発明の効果に加えて、世代情報内に暗号化処理の内容及び暗号化時刻が含まれているので、出力情報の出力時に、当該暗号化時刻に応じて暗号化を解く解読処理の内容を各暗号化処理の内容毎に選択すれば、当該出力時に一の暗号化処理の内容が漏洩しても、他の暗号化処理の内容を用いて暗号化された出力情報を解読でき、効果的に不法複写を防止できる。
【０３３２】
請求項２４に記載の発明によれば、請求項２３に記載の発明の効果に加えて、識別情報が取得できないと暗号化された出力情報が解読できないので、効果的に不法複写を防止できる。
【０３３３】
請求項２５に記載の発明によれば、請求項２４に記載の発明の作用に加えて、暗号化のための暗号化鍵が更に暗号化されているので、暗号化された出力情報を解読することを更に困難にすることができる。
【０３３５】
請求項２６に記載の発明によれば、請求項１８から２５のいずれか一項に記載の発明の効果に加えて、例えば、情報記録媒体に記録された出力情報の再生時に、上記識別情報Ｎ及び副識別情報Ｍが共に得られたときのみ出力情報を再生するように構成すれば、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、記録された出力情報の再生装置においては、当該不法複写された出力情報が再生されることをより効果的に防止できる。
【０３３６】
請求項２７に記載の発明によれば、請求項１８から２６にいずれか一項に記載の発明の効果に加えて、エラー訂正符号が内符号の検査シンボルと外符号の検査シンボルとにより構成されると共に、内符号の検査シンボルと外符号の検査シンボルとが重複する部分の一部を再配列情報に置換するので、情報記録媒体に記録された出力情報の再生時における当該録出力情報自体のエラー訂正に用いられる内符号の検査シンボルと外符号の検査シンボルが再配列情報に置換されることがなく、出力情報そのものに対するエラー訂正能力が低下することがない。
【０３３７】
また、同様に、伝送された出力情報の再生時においても、出力情報そのものに対するエラー訂正能力が低下することがない。
請求項２８に記載の発明によれば、抽出された再配列情報から配列を移動させる前のデータを得るために必要な当該再配列情報の配列の移動量を求め、当該移動量に基づいて識別情報を検出したときのみエラー訂正後の記録情報が再生可能となるので、識別情報が検出されなかった（すなわち不法複写された）記録情報の不法な再生を防止することができる。
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３３８】
請求項２９に記載の発明によれば、抽出された再配列情報から配列を移動させる前のデータを得るために必要な当該再配列情報の配列の移動量を求め、当該移動量に基づいて識別情報を検出したときのみエラー訂正された記録情報が再生可能となるので、識別情報が検出されなかった（すなわち不法複写された）記録情報の不法な再生を防止することができる。
【０３３９】
また、エラー訂正符号が付加された後の訂正符号付加記録情報の一部が再配列情報に置換されているので、当該再配列情報が再生時のエラー訂正により消滅することとなり、再生された記録情報を他の情報記録装置に記録する際には再配列情報は最早記録されない。
【０３４０】
従って、識別情報を検出したときのみ記録情報の再生が可能となる場合に、当該他の情報記録装置で記録された記録情報が再生されることを防止できる。
また更に、再配列情報は、識別情報の値に対応した量だけ訂正符号付加出力情報の一部を構成するデータの配列を移動させることにより生成されるので、訂正符号付加出力情報に本来のデータ以外のデータを挿入させることなく出力情報の不法な再生を防止することができる。
【０３４１】
請求項３０に記載の発明によれば、請求項３１に記載の発明の効果に加えて、上記識別情報Ｎ及び副識別情報Ｍが共に得られたときのみ記録情報を再生するので、識別情報Ｎ或いは副識別情報Ｍのいずれか一方が何らかの不当な方法で取得された場合でも、関数ｆが特定されない限り、他方の情報（副識別情報Ｍ或いは識別情報Ｎ）が正しく得られないこととなり、よって、情報再生装置においては、当該不法複写された出力情報が再生されることをより効果的に防止できる。
【０３４２】
請求項３１に記載の発明によれば、請求項２８から３０のいずれか一項に記載の発明の効果に加えて、エラー訂正符号が内符号の検査シンボルと外符号の検査シンボルとにより構成されると共に、内符号の検査シンボルと外符号の検査シンボルとが重複する部分の一部が再配列情報に置換されているので、記録情報自体のエラー訂正に用いられる内符号の検査シンボルと外符号の検査シンボルは再配列情報に置換されておらず、よって、記録情報そのものに対するエラー訂正能力が低下することがない。
【図面の簡単な説明】
【図１】第１実施形態のカッティング装置を概要構成を示すブロック図である。
【図２】第１実施形態のカッティング動作を示すフローチャートである。
【図３】第１実施形態のデータにおけるＥＣＣブロックの構造を示す図であり、（ａ）はデータセクタの構造を示す図であり、（ｂ）はＥＣＣブロックの構造を示す図である。
【図４】第１実施形態の識別情報挿入後のＥＣＣブロックの構造を示す図である。
【図５】第１実施形態のデータの物理フォーマットを示す図である。
【図６】第１実施形態の情報再生装置の概要構成を示すブロック図である。
【図７】第１実施形態の再生動作を示すフローチャートである。
【図８】第２実施形態のカッティング装置を概要構成を示すブロック図である。
【図９】第２実施形態の認証情報生成器の細部構成を示すブロック図である。
【図１０】第２実施形態の並替部の細部構成を示すブロック図である。
【図１１】第２実施形態のカッティング装置の動作を示す図である。
【図１２】第２実施形態の情報再生装置の概要構成を示すブロック図である。
【図１３】第２実施形態の解読回路の細部構成を示すブロック図である。
【符号の説明】
１…データ生成器
２…ＥＣＣエンコーダ
３…識別情報書込器
３’…認証情報書込器
４…エンコーダ
５…レーザ発生器
６…光変調器
７…対物レンズ
８…回転サーボ回路
９…回転検出器
１０…送りサーボ回路
１１…位置検出器
１２…送りユニット
１３…スピンドルモータ
１４…レジスト
１５…ガラス基板
１６…認証情報生成器
２０…データセクタ
２１…ＩＤ情報
２２…ＩＤ情報誤り訂正コード
２３…予備データ
２４、４１、４３…データ
２５…エラー検出コード２５
３０、３０’、３０”…ＥＣＣブロック
３１…ＥＣＣ内符号
３２…ＥＣＣ外符号
３３…データブロック
３４…訂正ブロック
３５…識別情報
４０…レコーディングセクタ
４２…シンクフレーム
５０…ＤＶＤ
５１…光ピックアップ
５２…ＲＦアンプ
５３、９０…エラー訂正回路
５４…スピンドルドライバ
５５…スピンドルモータ
５６…ビデオ回路
５７…オーディオ回路
５８…ＣＰＵ
５９…操作パネル
６０…ＲＡＭ
６１…サーボ回路
６２…フォーカスドライバ
６３…トラッキングドライバ
６４…復調回路
６５…識別情報抽出回路
６５’…認証情報抽出回路
６６…表示部
７０…キーデータ生成部
７１…暗号化部
７２…識別情報生成部
７３…世代情報生成部
７４…合成部
７５…並替部
７６…分割部
７７…分割制御部
７８…訂正符号付加部
７９…位置情報生成部
８０…バッファ
８１…バッファ書込回路
８２…バッファ読出回路
９１…復元回路
９２…解読回路
９５…解読部選択回路
９６-1…第１解読部
９６-2…第２解読部
９６-n…第ｎ解読部
Ｃ、Ｃ’…カッティング装置
Ｓ、Ｓ’…情報再生装置
Ｈ、Ｈ’…ヘッダ
ＫＫ…暗号化キーデータ
Ｎ…認証情報
Ｎ’…並替認証情報
ＮＮ…分割認証情報
ＣＭ…訂正認証情報
ＰＰ…位置情報
ＥＥ…エラー訂正符号
Ｐ、Ｐ’…パラメータ
Ｓd…データ信号
Ｓde…付加データ信号
Ｓdr…置換データ信号
Ｓr…記録データ信号
Ｓp…検出信号
Ｓfe…フォーカスエラー信号
Ｓte…トラッキングエラー信号
Ｓfd…フォーカス駆動信号
Ｓtd…トラッキング駆動信号
Ｓrf…ＲＦ信号
Ｓe…再生信号
Ｓw、Ｓi、Ｓwcm…識別情報信号
Ｓw'…訂正認証情報信号
Ｓpo…位置信号
Ｓcm、Ｓwc…訂正信号
Ｓt…時刻信号
Ｓg…世代情報信号
Ｓkk…暗号化キーデータ信号
Ｓk…キーデータ信号
Ｓm…合成信号
Ｓmr…並替信号
Ｓcw、Ｓcr、Ｓbc…制御信号
Ｓwa…書込アドレス信号
Ｓra…読出アドレス信号
Ｓec…訂正再生信号
Ｓsc…分割信号
【図１】
0003828288.tif 000011
【図２】
0003828288.tif 000012
【図３】
0003828288.tif 000013
【図４】
0003828288.tif 000014
【図５】
0003828288.tif 000015
【図６】
0003828288.tif 000016
【図７】
0003828288.tif 000017
【図８】
0003828288.tif 000018
【図９】
0003828288.tif 000019
【図１０】
0003828288.tif 000020
【図１１】
0003828288.tif 000021
【図１２】
0003828288.tif 000022
【図１３】
0003828288.tif 000023